(57)【要約】      （修正有）【課題】均一に封止された封止体を提供する。均一に封止された発光モジュールを提供する。均一な封止体の作製方法を提供する。【解決手段】封止材１３１を挟んでエネルギー線の入射側と対峙する側に設ける構成に着目し、エネルギー線に対する反射率が高い領域１０５ａと低い領域１０５ｂを、被封止体１１０を囲む封止材に重なるように、交互に設ける構成に想到した。【選択図】図１
2020042299.tif 000002
【特許請求の範囲】
【請求項１】
第１の基板と、
エネルギー線を透過する第２の基板と、
前記第１の基板と前記第２の基板の間に封止された被封止体と、
前記被封止体を囲み、前記第１の基板と前記第２の基板を貼り合わせる封止材と、を有する封止体であって、
前記第１の基板は、
前記エネルギー線の一部を反射する高反射率領域と、
前記エネルギー線に対する反射率が前記高反射率領域より低い低反射率領域と、を有し、
前記封止材は、前記エネルギー線の一部を吸収する低融点ガラス層を含み、
前記封止材は、
第１の方向に沿って延在する第１の領域と、
前記第１の方向とは異なる第２の方向に沿って延在する第２の領域と、
前記第１の方向から前記第２の方向に屈曲する第３の領域と、を有し、
前記封止材は、前記第１乃至第３の領域において、前記高反射率領域と前記低反射率領域と重なり、
前記第３の領域における前記高反射率領域の面積と前記低反射率領域の面積との比は、前記第１の領域及び前記第２の領域における前記高反射率領域の面積と前記低反射率領域の面積との比と異なる封止体。
【請求項２】
第１の基板と、
エネルギー線を透過する第２の基板と、
前記第１の基板と前記第２の基板の間に封止された被封止体と、
前記被封止体を囲み、前記第１の基板と前記第２の基板を貼り合わせる封止材と、を有する封止体であって、
前記第１の基板は、
前記エネルギー線の一部を反射する高反射率領域と、
前記エネルギー線に対する反射率が前記高反射率領域より低い低反射率領域と、を有し、
前記封止材は、前記エネルギー線の一部を吸収する低融点ガラス層を含み、
前記封止材は、
第１の方向に沿って延在する第１の領域と、
前記第１の方向とは異なる第２の方向に沿って延在する第２の領域と、
前記第１の方向から前記第２の方向に屈曲する第３の領域と、を有し、
前記封止材は、前記第１乃至第３の領域において、前記高反射率領域及び前記低反射率領域と重なり、
前記第３の領域における前記高反射率領域の面積に対する前記低反射率領域の面積の比率は、前記第１の領域及び前記第２の領域における前記高反射率領域の面積に対する前記低反射率領域の面積の比率と異なる封止体。
【請求項３】
請求項１または請求項２において、
前記高反射率領域は、金属層を有し、
前記低反射率領域は、前記金属層を有しない封止体。
【請求項４】
請求項１乃至請求項３のいずれか一において、
前記高反射率領域及び前記低反射率領域は、前記封止材と重ならない領域を有する
封止体。
【請求項５】
第１の基板と、
エネルギー線を透過する第２の基板と、
前記第１の基板と前記第２の基板の間に封止された発光素子と、
前記発光素子を囲み、前記第１の基板と前記第２の基板を貼り合わせる封止材と、を有する封止体であって、
前記第１の基板は、
前記エネルギー線の一部を反射する高反射率領域と、
前記エネルギー線に対する反射率が前記高反射率領域より低い低反射率領域と、を有し、
前記封止材は、前記エネルギー線の一部を吸収する低融点ガラス層を含み、
前記封止材は、
第１の方向に沿って延在する第１の領域と、
前記第１の方向とは異なる第２の方向に沿って延在する第２の領域と、
前記第１の方向から前記第２の方向に屈曲する第３の領域と、を有し、
前記封止材は、前記第１乃至第３の領域において、前記高反射率領域と前記低反射率領域と重なり、
前記第３の領域における前記高反射率領域の面積と前記低反射率領域の面積との比は、前記第１の領域及び前記第２の領域における前記高反射率領域の面積と前記低反射率領域の面積との比と異なる発光装置。
【請求項６】
第１の基板と、
エネルギー線を透過する第２の基板と、
前記第１の基板と前記第２の基板の間に封止された発光素子と、
前記発光素子を囲み、前記第１の基板と前記第２の基板を貼り合わせる封止材と、を有する封止体であって、
前記第１の基板は、
前記エネルギー線の一部を反射する高反射率領域と、
前記エネルギー線に対する反射率が前記高反射率領域より低い低反射率領域と、を有し、
前記封止材は、前記エネルギー線の一部を吸収する低融点ガラス層を含み、
前記封止材は、
第１の方向に沿って延在する第１の領域と、
前記第１の方向とは異なる第２の方向に沿って延在する第２の領域と、
前記第１の方向から前記第２の方向に屈曲する第３の領域と、を有し、
前記封止材は、前記第１乃至第３の領域において、前記高反射率領域及び前記低反射率領域と重なり、
前記第３の領域における前記高反射率領域の面積に対する前記低反射率領域の面積の比率は、前記第１の領域及び前記第２の領域における前記高反射率領域の面積に対する前記低反射率領域の面積の比率と異なる発光装置。
【請求項７】
請求項５または請求項６において、
前記高反射率領域は、金属層を有し、
前記低反射率領域は、前記金属層を有しない発光装置。
【請求項８】
請求項５乃至請求項７のいずれか一において、
前記高反射率領域及び前記低反射率領域は、前記封止材と重ならない領域を有する
発光装置。
【発明の詳細な説明】
【技術分野】
【０００１】
本発明は、封止体に関する。または、発光素子が封止された発光モジュールに関する。ま
たは、封止体の作製方法に関する。
【背景技術】
【０００２】
外界から進入する不純物により、被封止体の特性が損なわれる現象を防ぐため、被封止体
を封止体に封止する技術が知られている。
【０００３】
封止体に封止される被封止体の耐熱性が低い場合、被封止体に与える損傷を低減するため
に封止工程に要する温度の低温化が望まれる。セラミックスやガラスなどの無機材料に比
べて一般に低温で固化または硬化できる樹脂などの有機材料は、封止工程の低温化に有利
であると言える。
【０００４】
一方、封止材に用いる材料は不純物の拡散速度が小さい材料ほど好ましい。有機材料に比
べて一般に密度が高い無機材料は、物質の拡散速度が小さいため、封止材に適していると
言える。
【０００５】
封止工程に要する温度の低温化と封止性能の両立のために、融点が、他の無機材料に比較
して低い低融点ガラスを封止材に用いる構成が知られている。また、レーザビームを透過
する透光性の基板を含む一対の基板の間に挟まれた低融点ガラスにレーザビームを照射し
て局所的に加熱し、当該一対の基板を融着する方法が知られている。この方法によれば、
耐熱性が低い被封止体に損傷を与えることなく封止体を作製できる（特許文献１）。
【先行技術文献】
【特許文献】
【０００６】
【特許文献１】特開２００７−２００８３５号
【発明の概要】
【発明が解決しようとする課題】
【０００７】
レーザビームなどのエネルギー線を用いて封止材を局所的に加熱して溶融した封止材で、
一対の基板を貼り合わせるとき、封止材が充分に加熱されていない部分や過剰なエネルギ
ー線が照射された部分に、不良が生じる場合がある。例えば、十分な加熱がされずに溶融
に至らなかった封止材に隙間が生じてしまう不良、過剰な加熱により封止材が溶発または
流れてしまう不良、または周辺に設けられた構成を破壊してしまう不良等が生じる場合が
ある。
【０００８】
封止材が受けるエネルギーは、照射するエネルギー線の強度と封止材のエネルギー線の吸
収のし易さによってのみ決まるものではない。例えば封止材を挟んでエネルギー線の入射
側と対峙する側にある構成にも影響される。
【０００９】
例えば、エネルギー線に対する反射率が異なる領域が設けられた第１の基板とエネルギー
線を透過する第２の基板の間に設けた封止材に、第２の基板の側からエネルギー線を照射
して、第１の基板と第２の基板を、当該封止材を用いて貼り合わせる場合、照射するエネ
ルギー線の強度を、第１の基板のエネルギー線の反射率が高い領域に重なる封止材に合わ
せて決定すると、第１の基板のエネルギー線の反射率が低い領域に重なる封止材が受ける
エネルギーは不足してしまう。また、照射するエネルギー線の強度を、第１の基板のエネ
ルギー線の反射率が低い領域に重なる封止材に合わせて決定すると、第１の基板のエネル
ギー線の反射率が高い領域に重なる封止材が受けるエネルギーが過剰になってしまう。
【００１０】
本発明の一態様は、このような技術的背景のもとでなされたものである。したがって、均
一に封止された封止体を提供することを課題の一とする。または、均一に封止された発光
モジュールを提供することを課題の一とする。または、均一な封止体の作製方法を提供す
ることを課題の一とする。
【課題を解決するための手段】
【００１１】
上記課題を解決するために、本発明の一態様は、封止材を挟んでエネルギー線の入射側と
対峙する側に設ける構成に着目して創作されたものである。そして、本明細書に例示され
る構成に想到し、上記課題の解決に至った。
【００１２】
すなわち、本発明の一態様の封止体は、被封止体を囲む封止材に重なるように、エネルギ
ー線に対する反射率が高い領域と低い領域が交互に設けられた第１の基板と、エネルギー
線を透過する第２の基板の間に設けられた封止材が、第１の基板と第２の基板を貼り合わ
せる構成を有するものである。
【００１３】
すなわち、本発明の一態様は、第１の基板と、エネルギー線を透過する第２の基板と、第
１の基板と第２の基板の間に被封止体と、被封止体を囲み、第１の基板と前記第２の基板
を貼り合わせる封止材と、を有する封止体である。そして、第１の基板は、エネルギー線
の一部を反射する高反射率領域と、エネルギー線に対する反射率が高反射率領域より低い
低反射率領域と、を交互に封止材と重なる位置に備え、封止材は、エネルギー線の一部を
吸収する低融点ガラス層を含む。
【００１４】
上記本発明の一態様の封止体の構成によれば、第２の基板側から高反射率領域に向けて照
射したエネルギー線の、封止材に吸収されなかった一部は高反射率領域に反射され、第１
の基板側から封止材に到達する。その結果、エネルギー線を効率良く封止材の加熱に利用
できるだけでなく、封止材を厚さ方向に均一に加熱できる。
【００１５】
また、第２の基板側から低反射率領域に向けて照射したエネルギー線の封止材に吸収され
なかった一部は低反射率領域に到達する。低反射率領域の反射率は高反射率領域よりも低
いため、高反射率領域と重なる領域に比べて抑制された効率で、封止材の加熱にエネルギ
ー線が用いられる。その結果、封止材が過剰に加熱されることがない。
【００１６】
本発明の一態様の封止体は、その第１の基板に高反射率領域と低反射率領域が交互に封止
材と重なる位置に備える。そして、高反射率領域の面積に対する低反射率領域の面積の比
率によって、エネルギー線が封止材を加熱する効率を調整できる。その結果、均一に封止
された信頼性の高い封止体を提供できる。
【００１７】
また、本発明の一態様は、高反射率領域と低反射率領域が、封止材に沿って延在する上記
の封止体である。
【００１８】
上記本発明の一態様の封止体が備える構成がもたらす作用と効果を、第２の基板側からエ
ネルギー線を封止材に沿って走査しながら照射して作製される封止体を例に説明する。
【００１９】
エネルギー線の走査方向に直交する方向について、封止材が受けるエネルギー線の積算強
度に分布があると、封止材を均一に加熱できず、封止不良が発生してしまう場合がある。
しかし、高反射率領域と低反射率領域を、エネルギー線の積算強度に応じて設けると、そ
の分布を補正でき、封止材を均一に加熱できる。具体的には、エネルギー線の積算強度が
低い部分に高反射率領域を、高い部分に低反射率領域を設ければよい。これにより、エネ
ルギー線の積算強度の分布を補正できる。その結果、均一に封止された信頼性の高い封止
体を提供できる。
【００２０】
また、封止材に沿って高反射率領域と低反射率領域が設けられているため、封止材に向け
て高反射率領域が反射するエネルギー線の強度が安定し、エネルギー線の照射強度等の条
件を、走査部分の構成に応じて変える必要がない。その結果、均一に封止された信頼性の
高い封止体を提供できる。また、エネルギー線の照射装置を簡略化できる。
【００２１】
また、本発明の一態様は、高反射率領域と低反射率領域が、交互に封止材と交差して、封
止材の外側に延在する上記の封止体である。
【００２２】
上記本発明の一態様の封止体が備える構成がもたらす作用と効果を、第２の基板側からエ
ネルギー線を封止材に沿って走査しながら照射して作製される封止体を例に説明する。
【００２３】
高反射率領域と低反射率領域が、交互に封止材と交差していると、高反射率領域と重なる
封止材は強く熱せられるが、低反射率領域と重なる封止材は弱く熱せられる。その結果、
高反射率領域の間に設けられた低反射率領域に重なる封止材が熱の伝達を抑制し、エネル
ギー線が照射されていない部分の温度が高まり過ぎる現象を防ぐことができる。
【００２４】
また、高反射率領域と低反射率領域が、封止材の外側に延在していると、当該領域のいず
れか熱伝導性がよい方から封止材の外側に不要な熱が排出され、封止体の内側の温度が高
まりすぎる現象を防ぐことができる。または、熱伝導性がよい方同士が封止材の外側で接
して、排出した熱を伝達してしまう現象を抑制できる。その結果、均一に封止された信頼
性の高い封止体を提供できる。
【００２５】
また、高反射率領域が封止材に向けて反射するエネルギー線の強度が安定するように、高
反射率領域と低反射率領域が、封止材に沿って交互に規則的に設けられている。その結果
、エネルギー線の照射強度等の条件を、走査部分の構成に応じて変える必要がない。その
結果、均一に封止された信頼性の高い封止体を提供できる。また、エネルギー線の照射装
置を簡略化できる。
【００２６】
また、本発明の一態様は、高反射率領域の面積に対する低反射率領域の面積の比率は、曲
率半径の小さい封止材が重なる部分に比べて、曲率半径の大きい封止材が重なる部分にお
いて小さい、上記の封止体である。
【００２７】
上記本発明の一態様の封止体が備える構成がもたらす作用と効果を、第２の基板側からエ
ネルギー線を封止材に沿って走査しながら照射して作製される封止体を例に説明する。
【００２８】
封止材を均一に加熱するには、エネルギー線の強度と走査速度を一定とすればよい。しか
し、封止材の曲率半径が小さい部分では走査速度を大きく加速と減速をする必要があり、
走査速度を一定に保つことが難しい。その結果、封止材が強く熱せられる傾向がある。
【００２９】
封止材の形状に基づいて、エネルギー線の走査速度を決定し、それに応じてあらかじめ高
反射率領域の面積に対する低反射率領域の面積の比率を変えて設けることにより、封止材
を加熱する効率を調整する。その結果、均一に封止された信頼性の高い封止体を提供でき
る。また、エネルギー線の照射装置を簡略化できる。
【００３０】
また、本発明の一態様は、高反射率領域に金属層と、低反射率領域に絶縁層とを備える、
上記の封止体である。
【００３１】
上記本発明の一態様の封止体は、封止材に重ねて高反射率領域に設けられた金属層を介し
て封止体の外部と電気的に接続できる。その結果、均一に封止された信頼性の高い封止体
を提供できる。または、外形の大きさが抑制された封止体を提供できる。封止体の外部に
ある回路と電気的に接続可能なさまざまな素子（例えば、電子素子、発光素子、回路素子
、記憶素子、演算素子等）を被封止体に用いた封止体を提供することができる。
【００３２】
また、本発明の一態様は、上記の封止体に、被封止体として、第１の電極と第２の電極の
間に発光性の有機化合物を含む層を備える発光素子が封止された発光モジュールである。
【００３３】
上記本発明の一態様の発光モジュールは、大気中の不純物の拡散により信頼性が損なわれ
易く、高温を要する封止工程に耐える耐熱性を備えていない発光素子であっても、それを
高温に曝すことなく封止できる。その結果、均一に封止された信頼性の高い発光モジュー
ルを提供できる。
【００３４】
また、本発明の一態様は、上記の発光モジュールを用いた電子機器である。
【００３５】
上記本発明の一態様の電子機器は、均一に封止された信頼性の高い発光モジュールを備え
る。その結果、信頼性が高い電子機器を提供できる。
【００３６】
また、本発明の一態様は、第１のステップと、第２のステップを有する封止体の作製方法
である。
【００３７】
第１のステップは、一方の面に、エネルギー線の一部を反射する高反射率領域と、エネル
ギー線に対する反射率が高反射率領域より低い低反射率領域と、が形成された第１の基板
と、エネルギー線を透過する第２の基板と、被封止体と、被封止体を囲むように、高反射
率領域と低反射率領域と重なる位置に、エネルギー線の一部を吸収する低融点ガラス層を
含み、第１の基板の一方の面または第２の基板の一方の面に設けられた封止材と、を準備
するステップである。
【００３８】
第２のステップは、第１の基板の一方の面と、第２の基板の一方の面の間に封止材を挟持
した状態で、第２の基板の他方の面からエネルギー線を、封止材に沿って走査しながら照
射して、第１の基板と第２の基板の間に、被封止体を封止するステップである。
【００３９】
上記本発明の一態様の封止体の作製方法によれば、第２の基板側から高反射率領域に向け
て照射したエネルギー線の封止材に吸収されなかった一部は、高反射率領域に反射され、
第１の基板側から封止材に到達する。その結果、エネルギー線を効率良く封止材の加熱に
利用できるだけでなく、封止材を厚さ方向に均一に加熱できる。
【００４０】
また、第２の基板側から低反射率領域に向けて照射したエネルギー線の封止材に吸収され
なかった一部は低反射率領域に到達する。低反射率領域の反射率は、高反射率領域よりも
低いため、高反射率領域と重なる領域に比べて抑制された効率で、封止材の加熱にエネル
ギー線が用いられる。その結果、封止材が過剰に加熱されることがない。
【００４１】
本発明の一態様の封止体の作製方法によれば、その第１の基板に高反射率領域と低反射率
領域が交互に封止材と重なる位置に設けられているため、高反射率領域の面積に対する低
反射率領域の面積の比率によって、エネルギー線が封止材を加熱する効率を調整できる。
その結果、均一に封止された信頼性の高い封止体の作製方法を提供できる。
【００４２】
また、本発明の一態様は、第２の基板側からエネルギー線を、封止材に沿って走査しなが
ら照射する速度について、高反射率領域の面積に対する低反射率領域の面積の比率が大き
い部分に比べて、高反射率領域の面積に対する低反射率領域の面積の比率が小さい部分が
速い、上記の封止体の作製方法である。
【００４３】
上記本発明の一態様の封止体の作製方法によれば、エネルギー線の照射装置が一定の速度
で走査することが困難な形状（例えば、複雑に屈曲した形状）を備える封止材であっても
、高反射率領域の面積に対する前記低反射率領域の面積の比率を走査速度に応じて大きく
設けておくことで、過剰にエネルギー線を照射して、温度が上がり過ぎる現象を防ぐこと
ができる。また、速い速度で走査可能な部分は高反射率領域の面積に対する前記低反射率
領域の面積の比率を走査速度に応じて小さく設けておくことで、加熱が不十分になる現象
を防ぐことができる。その結果、均一に封止された信頼性の高い封止体の作製方法を提供
できる。または、封止工程にかかる時間を短縮できる。
【００４４】
なお、本明細書において、ＥＬ層とは発光素子の一対の電極間に設けられた層を示すもの
とする。従って、電極間に挟まれた発光物質である有機化合物を含む発光層はＥＬ層の一
態様である。
【００４５】
また、本明細書において、物質Ａを他の物質Ｂからなるマトリクス中に分散する場合、マ
トリクスを構成する物質Ｂをホスト材料と呼び、マトリクス中に分散される物質Ａをゲス
ト材料と呼ぶものとする。なお、物質Ａ並びに物質Ｂは、それぞれ単一の物質であっても
良いし、２種類以上の物質の混合物であっても良いものとする。
【００４６】
なお、本明細書中において、発光装置とは画像表示デバイス、発光デバイス、もしくは光
源（照明装置含む）を指す。また、発光装置にコネクター、例えばＦＰＣ（Ｆｌｅｘｉｂ
ｌｅ  ｐｒｉｎｔｅｄ  ｃｉｒｃｕｉｔ）もしくはＴＣＰ（Ｔａｐｅ  Ｃａｒｒｉｅｒ  
Ｐａｃｋａｇｅ）が取り付けられたモジュール、ＴＣＰの先にプリント配線板が設けられ
たモジュール、または発光素子が形成された基板にＣＯＧ（Ｃｈｉｐ  Ｏｎ  Ｇｌａｓｓ
）方式によりＩＣ（集積回路）が直接実装されたモジュールも全て発光装置に含むものと
する。
【発明の効果】
【００４７】
本発明の一態様によれば、均一に封止された封止体を提供できる。または、均一に封止さ
れた発光モジュールを提供できる。または、均一な封止体の作製方法を提供できる。
【図面の簡単な説明】
【００４８】
【図１】実施の形態に係る封止体の構成を説明する図。
【図２】実施の形態に係る封止体の構成を説明する図。
【図３】実施の形態に係る封止体の構成を説明する図。
【図４】実施の形態に係る封止体の作製方法を説明する図。
【図５】実施の形態に係る発光パネルの構成を説明する図。
【図６】実施の形態に係る発光素子の構成を説明する図。
【図７】実施の形態に係る電子機器を説明する図。
【図８】実施の形態に係る封止体の構成を説明する図。
【発明を実施するための形態】
【００４９】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００５０】
（実施の形態１）
本実施の形態では、本発明の一態様の封止体の構成を説明する。具体的には、第１の基板
と、エネルギー線を透過する第２の基板と、第１の基板と第２の基板の間に被封止体と、
被封止体を囲み、第１の基板と第２の基板を貼り合わせる封止材と、を有する封止体であ
る。第１の基板は、エネルギー線の一部を反射する高反射率領域と、エネルギー線に対す
る反射率が高反射率領域より低い低反射率領域と、を交互に封止材と重なる位置に備える
。また、封止材は、エネルギー線の一部を吸収する低融点ガラス層を含む。
【００５１】
本実施の形態で例示する封止体の構成によれば、第２の基板側から高反射率領域に向けて
照射したエネルギー線の封止材に吸収されなかった一部は高反射率領域に反射され、第１
の基板側から封止材に到達する。その結果、エネルギー線を効率良く封止材の加熱に利用
できるだけでなく、封止材を厚さ方向に均一に加熱できる。
【００５２】
また、第２の基板側から低反射率領域に向けて照射したエネルギー線の封止材に吸収され
なかった一部は低反射率領域に到達する。低反射率領域の反射率は高反射率領域よりも低
いため、高反射率領域と重なる領域に比べて抑制された効率で、封止材の加熱にエネルギ
ー線が用いられる。その結果、封止材が過剰に加熱されることがない。
【００５３】
本発明の一態様の封止体は、その第１の基板に高反射率領域と低反射率領域が交互に封止
材と重なる位置に設けられているため、高反射率領域の面積に対する低反射率領域の面積
の比率によって、エネルギー線が封止材を加熱する効率を調整できる。その結果、均一に
封止された信頼性の高い封止体を提供できる。
【００５４】
本実施の形態で例示する封止体の構成について、図１及び図２を参照して説明する。
【００５５】
図１（Ａ）は本発明の一態様の封止体の上面図であり、図１（Ｂ）は図１（Ａ）の切断線
Ｍ１−Ｍ２−Ｍ３−Ｍ４における断面図である。
【００５６】
図１に例示する封止体１００は、第１の基板１０１と、エネルギー線の少なくとも一部を
透過する第２の基板１０２と、被封止体１１０と、被封止体１１０を囲み、第１の基板１
０１と第２の基板１０２を貼り合わせる封止材１３１と、を有する。
【００５７】
第１の基板１０１は、エネルギー線の一部を反射する高反射率領域１０５ａと、エネルギ
ー線に対する反射率が高反射率領域１０５ａより低い低反射率領域１０５ｂと、を交互に
封止材１３１と重なる位置に備える。また、封止材１３１は、エネルギー線の一部を吸収
する低融点ガラス層を含む。
【００５８】
また、図１に例示する封止体１００は、高反射率領域１０５ａと低反射率領域１０５ｂが
、交互に封止材１３１と交差して、封止材１３１の外側に延在する。第１の接続端子１０
３と、第２の接続端子１０４は、いずれも被封止体１１０と電気的に接続されている。
【００５９】
本発明の一態様の封止体１００の構成がもたらす作用と効果を、第２の基板１０２側から
エネルギー線を封止材１３１に沿って走査しながら照射して作製される封止体を例に説明
する。
【００６０】
高反射率領域１０５ａと低反射率領域１０５ｂが、交互に封止材１３１と交差していると
、高反射率領域１０５ａと重なる封止材１３１は強く熱せられるが、低反射率領域１０５
ｂと重なる封止材１３１は弱く熱せられる。その結果、高反射率領域１０５ａの間に設け
られた低反射率領域１０５ｂに重なる封止材１３１が熱の伝達を抑制し、エネルギー線が
照射されていない部分の温度が高まり過ぎる現象を防ぐことができる。
【００６１】
また、高反射率領域１０５ａと低反射率領域１０５ｂが、封止材１３１の外側に延在して
いると、当該領域のいずれか熱伝導性がよい方から封止材１３１の外側に不要な熱が排出
され、封止体１００の内側の温度が高まりすぎる現象を防ぐことができる。または、熱伝
導性がよい方同士が封止材１３１の外側で接して、排出した熱を伝達してしまう現象を抑
制できる。その結果、均一に封止された信頼性の高い封止体１００を提供できる。
【００６２】
また、封止材１３１に沿って高反射率領域１０５ａと低反射率領域１０５ｂが交互に規則
的に設けられているため、封止材１３１に向けて高反射率領域１０５ａが反射するエネル
ギー線の強度が安定する。その結果、エネルギー線の照射強度等の条件を、走査部分の構
成に応じて変える必要がない。その結果、均一に封止された信頼性の高い封止体１００を
提供できる。また、エネルギー線の照射装置を簡略化できる。
【００６３】
なお、本実施の形態の変形例として、図１とは異なる構成を図８（Ａ）に示す。図８（Ａ
）に例示する高反射率領域１０５ａと低反射率領域１０５ｂは、封止材に対して斜めに交
差する。
【００６４】
また、図１に例示する封止体１００は、高反射率領域１０５ａの面積に対する低反射率領
域１０５ｂの面積の比率は、曲率半径の小さい封止材１３１が重なる部分に比べて、曲率
半径の大きい封止材１３１が重なる部分において小さい。
【００６５】
本実施の形態で例示する封止体１００が備える構成がもたらす作用と効果を、第２の基板
１０２側からエネルギー線を封止材１３１に沿って走査しながら照射して作製される封止
体を例に説明する。
【００６６】
封止材１３１を均一に加熱するには、封止材１３１の曲率半径によらず、エネルギー線の
強度と走査速度を一定とすればよい。しかし、封止材１３１の曲率半径が小さい部分では
走査速度を大きく加減速する必要があり、積算強度を一定とすることが難しい。その結果
、封止材１３１が強く熱せられる傾向が強い。
【００６７】
エネルギー線にレーザビームを用いる場合を例に、図１（Ｃ）を参照して説明する。図１
（Ｃ）の左側の図は封止材１３１の屈曲部に沿ってレーザビームを走査する様子の模式図
である。紙面の右から屈曲部に進入するレーザビームは、屈曲部で進行方向を変えるため
に減速し、紙面の縦方向に加速する。このような動作に由来して、レーザビームが過剰に
屈曲部に照射され、封止不良が生じやすい。
【００６８】
本発明の一態様の封止体は、エネルギー線の走査速度に応じて、あらかじめ高反射率領域
の面積に対する低反射率領域の面積の比率を変えて設け、封止材を加熱する効率を調整す
るものである。本発明の一態様の封止体の一例を図１（Ｃ）の右側の図に示す。レーザビ
ームは、紙面の右から高反射率領域１０５ａが設けられた直進部を通って、屈曲部に進入
する。屈曲部は、高反射率領域１０５ａの面積に対する低反射率領域１０５ｂの面積の比
率を大きくしてあるため、レーザビームが封止材を加熱する効率が他の領域より低い。そ
の結果、屈曲部で進行方向を変えるために減速し、紙面の縦方向に加速する間に、屈曲部
にレーザビームが過剰に照射されても、封止不良が生じ難い。
【００６９】
すなわち、封止材１３１の形状に基づいてあらかじめエネルギー線の走査速度を決定し、
それに応じて、高反射率領域１０５ａの面積に対する低反射率領域１０５ｂの面積の比率
を変えて設けて、封止材１３１を加熱する効率を調整するものである。その結果、均一に
封止された信頼性の高い封止体を提供できる。また、エネルギー線の照射装置を簡略化で
きる。
【００７０】
なお、本実施の形態の変形例として、図１（Ｃ）とは異なる構成を図８（Ｂ）に示す。図
８（Ｂ）に例示する構成では、エネルギー線の走査方向についての高反射率領域１０５ａ
の長さを屈曲部において短くすることにより、高反射率領域１０５ａの面積に対する低反
射率領域１０５ｂの面積の比率が大きい部分を形成している。
【００７１】
以下に、本実施の形態で例示する封止体を構成する個々の要素について説明する。
【００７２】
＜第１の基板と第２の基板＞
第１の基板１０１および第２の基板１０２はそれぞれ封止体の製造工程に耐えられる程度
の耐熱性を備える。また、その厚さおよび大きさは製造装置に適用可能であれば特に限定
されない。また、単層構造であっても、２層以上の層が積層された構造であってもよい。
【００７３】
第１の基板１０１および第２の基板１０２はガスバリア性を有する。ガスバリア性の膜を
第１の基板１０１および第２の基板１０２と、被封止体との間に設けてガスバリア性を付
与した基板であってもよい。ガスバリア性の程度は、被封止体の特性に応じて設計すれば
良い。
【００７４】
例えば、一対の電極の間に発光性の有機化合物を含む層を備える発光素子を被封止体とす
る場合には、ガスバリア性が水蒸気透過率として１０−５ｇ／ｍ２・ｄａｙ以下、好まし
くは１０−６ｇ／ｍ２・ｄａｙ以下とする。この程度のガスバリア性を備える第１の基板
１０１と第２の基板１０２の間に発光素子を封止することにより、高い信頼性を有する発
光モジュールを提供できる。
【００７５】
また、第１の基板１０１および第２の基板１０２は、封止材１３１を破壊しない程度の可
撓性を有していてもよい。可撓性を有する基板としては、例えば厚さが５０μｍ以上５０
０μｍ以下の薄いガラスや、金属箔を用いることができる。
【００７６】
第１の基板１０１は、無機材料を用いた基板の他、有機材料と無機材料の複合材料を用い
た基板であってもよい。無機材料を用いた基板としては、例えばガラス基板、セラミック
ス基板、金属基板等が挙げられる。有機材料と無機材料の複合材料を用いた基板としては
、例えば樹脂基板と無機材料の積層体、ＦＲＰ（Ｆｉｂｅｒｇｌａｓｓ−Ｒｅｉｎｆｏｒ
ｃｅｄ  Ｐｌａｓｔｉｃｓ）、プリプレグ等が挙げられる。
【００７７】
第２の基板１０２は、第１の基板１０１と同様に無機材料を用いた基板の他、有機材料と
無機材料の複合材料を用いた基板であってもよい。なお、第２の基板１０２は、エネルギ
ー線を透過する領域を、封止材１３１と重なる位置に備える。
【００７８】
ここで、封止工程に用いることができるエネルギー線について説明する。エネルギー線は
、照射した部位に局所的にエネルギーを伝搬できるものであればよい。例えば、粒子ビー
ム（例えば、電子線等）、電磁波ビーム（例えば、光ビームやマイクロ波ビーム等）、超
音波ビームなどが挙げられる。
【００７９】
特に、レーザが発する光ビーム（レーザビームともいう）が便利である。レーザビームを
用いると、高密度のエネルギーを、第２の基板１０２に吸収されることなく封止材１３１
に選択的に吸収させることができる。
【００８０】
なお、光ビームの波長は、第２の基板１０２と封止材１３１の組み合わせを考慮して選択
すればよく、紫外光、可視光、または赤外光のいずれでも良い。
【００８１】
レーザとしては、例えば固体レーザ、ガスレーザまたは半導体レーザを用いることができ
る。
【００８２】
なお、一のレーザビームが適用可能な第２の基板１０２は、そのレーザビームを透過する
。例えば可視光のレーザビームを用い、無機材料を第２の基板１０２に用いる場合、第２
の基板１０２としては、例えば無アルカリガラス基板、バリウムホウケイ酸ガラス基板、
アルミノホウケイ酸ガラス基板、石英基板、サファイア基板等を用いることができる。
【００８３】
＜高反射率領域と低反射率領域＞
高反射率領域１０５ａは、低反射率領域１０５ｂより、第２の基板１０２側から入射する
エネルギー線に対する反射率が高い。高反射率領域１０５ａは高反射率層で形成され、低
反射率領域１０５ｂは低反射率層で形成されている。また、高反射率領域１０５ａの高反
射率層と第２の基板１０２の間には、低反射率層が設けられていない。低反射率領域１０
５ｂの低反射率層と第２の基板１０２の間には、高反射率層が設けられていない。
【００８４】
高反射率領域と低反射率領域の形態として、エネルギー線の走査方向についての高反射率
領域の長さが１５０μｍであって、低反射率領域の長さが５０μｍである構成や、高反射
率領域の長さが７５μｍであって、低反射率領域の長さが５μｍである構成や、高反射率
領域の長さが５０μｍであって、低反射率領域の長さが１μｍである構成などを例示でき
る。
【００８５】
＜高反射率層と低反射率層＞
第１の基板１０１に設けられた高反射率層は、エネルギー線を反射するものであって、そ
の反射率が低反射率層より高くなるように、高反射率層と低反射率層を選択して用いる。
【００８６】
高反射率層または低反射率層は、金属、合金、金属窒化物、金属酸化物、半導体、絶縁体
等を含む層を、単層または積層して用いることができる。
【００８７】
金属または合金としては、具体的にはアルミニウム、銅、クロム、タンタル、チタン、モ
リブデン、タングステンから選ばれた元素を含むものが挙げられる。
【００８８】
また、アルミニウムを含む合金は導電性が高いだけでなく反射率も高い。アルミニウムを
含む合金としては、ニッケルを含むアルミニウム、ランタンとニッケルを含むアルミニウ
ム、シリコンを含むアルミニウムを用いることができる。
【００８９】
金属窒化物としては、具体的には窒化チタン、窒化モリブデン、窒化タングステン等が挙
げられる。
【００９０】
高反射率層または低反射率層に適用可能な積層された材料としては、下側または上側の一
方または双方に、高融点金属若しくは上述の金属窒化物が積層された構成が挙げられる。
なお、高融点金属としては、具体的にはクロム、タンタル、チタン、モリブデン、タング
ステン、ネオジム、スカンジウム、イットリウムなどが挙げられる。アルミニウムや銅の
下側または上側の一方または双方に積層する構成とすると、アルミニウムや銅の耐熱性や
腐食性に由来する問題を回避できる。
【００９１】
高反射率層の構成として、窒化タンタル層にタングステン層を重ねた積層体や、厚さ１０
０ｎｍのチタン層と厚さ２００ｎｍのチタン層の間に厚さ６００ｎｍのアルミニウム層を
重ねた積層体を一例として挙げることができる。
【００９２】
半導体材料としては、例えば金属シリサイドや導電性の金属酸化物を用いることができる
。導電性の金属酸化物の具体例としては、酸化インジウム、酸化スズ、インジウム−スズ
酸化物（ＩＴＯともいう）、インジウム−亜鉛酸化物、酸化亜鉛、ガリウムまたはアルミ
ニウムが添加された酸化亜鉛、またはこれらの金属酸化物に酸化シリコンを含ませたもの
を用いることができる。
【００９３】
絶縁体としては、例えば、酸化シリコン、酸化窒化シリコン、酸化アルミニウム、アクリ
ル樹脂、ポリイミド樹脂、ベンゾシクロブテン樹脂、ポリアミド樹脂、エポキシ樹脂、シ
ロキサン系樹脂、ＳＯＧ、ポリシラザン系ＳＯＧ等から選ばれた一の絶縁体、またはこれ
らから選ばれた一を含むものを用いることができる。
【００９４】
＜被封止体＞
被封止体１１０には、さまざまな素子（例えば、電子素子、発光素子、回路素子、記憶素
子、演算素子等）を適用できる。
【００９５】
なお、被封止体１１０の一部は、高反射率層または低反射率層を兼ねる。例えば、被封止
体１１０の接続端子が高反射率層を兼ねてもよい。また、被封止体１１０のアンテナまた
はコイルが高反射率層を兼ねてもよい。このような構成とすることで封止材に重ねて設け
られた金属層を介して被封止体１１０が封止体の外部と電気的に接続できる。その結果、
外形の大きさが抑制された封止体を提供できる。または、封止体の外部にある回路と電気
的に接続可能なさまざまな素子（例えば、電子素子、発光素子、回路素子、記憶素子、演
算素子等）を被封止体に用いた封止体を提供することができる。
【００９６】
なお、第１の基板１０１上に被封止体１１０を設けてもよく、あらかじめ作製された一部
を第１の基板１０１上に形成された他の一部と接続して、被封止体１１０としてもよい。
【００９７】
＜封止材＞
封止材１３１は、被封止体１１０を囲み、第１の基板１０１と第２の基板１０２の間にあ
って、それぞれに融着している。言い換えると、封止材１３１は第１の基板１０１と第２
の基板１０２を貼り合わせて、その間に被封止体１１０を封止している。
【００９８】
封止材１３１は層状である。また、照射されたエネルギー線を吸収する。封止材１３１の
厚さとしては、７μｍ程度のものを一例として挙げることができる。特に、照射されたエ
ネルギー線が、第２の基板の側から封止材１３１を通って高反射率層に達するまでの過程
と、高反射率層で反射されたエネルギー線が再び封止材１３１を通る過程のそれぞれにお
いて吸収されるように、吸収と厚さが調整されていると好ましい。このようにすることに
より、封止材１３１を深さ方向に均等に加熱できる。その結果、均一な封止がされた信頼
性の優れた封止体を提供できる。
【００９９】
封止材１３１は、ガスバリア性を有する。例えば、一対の電極の間に発光性の有機化合物
を含む層を備える発光素子を被封止体とする場合には、具体的にはガスバリア性が水蒸気
透過率として１０−５ｇ／ｍ２・ｄａｙ以下、好ましくは１０−６ｇ／ｍ２・ｄａｙ以下
であると、発光素子を封止した発光モジュールの信頼性を高められるため好ましい。特に
、封止材１３１が無機材料であると好ましい。一般に無機材料は有機材料に比べて密度が
高く、物質の拡散速度が小さく、ガスバリア性に優れるため、封止材に適している。
【０１００】
封止材１３１は熱溶融性を有する。封止工程においてエネルギー線に加熱される封止材１
３１の到達温度は、被封止体１１０、第１の基板１０１または第２の基板１０２に与える
損傷を低減するために、封止材１３１が到達する温度を８００℃以下好ましくは６００℃
以下に抑制し、その温度で融着可能である構成を選択して用いる。なお、封止工程に要す
る封止材１３１の温度は、例えば軟化点を超える必要がある。低融点ガラスとしては、例
えば軟化点が４００℃以上のものがある。
【０１０１】
例えば、４００℃以上６００℃以下の温度で第１の基板１０１または第２の基板１０２と
融着可能である構成が好ましい。４００℃以下で融着可能とすると、常温での使用に支障
があり、６００℃以上で融着可能とすると、被封止体に熱による損傷を与えてしまう。
【０１０２】
封止材１３１は、エネルギー線の吸収材を含んでいても良い。吸収材は、照射するエネル
ギー線の種類に応じて選択して用いればよく、例えば半導体レーザを用いる場合は、吸収
材として黒色顔料などを封止材１３１に分散して用いることができる。
【０１０３】
封止材１３１に用いることができる材料としては、例えば低融点ガラス、ハンダ等が挙げ
られる。低融点ガラスの具体例としては、鉛系ガラス、ビスマス系ガラス、バナジウム系
ガラス等が挙げられる。これらからの材料の中から、例えば３５０℃以上５００℃以下の
温度で封着できる低融点ガラスを選ぶことができる。
【０１０４】
＜変形例＞
本実施の形態の変形例で例示する封止体を、図２を参照して説明する。本実施の形態の変
形例で例示する封止体１００は、高反射率領域１０５ａと、低反射率領域１０５ｂの構成
を除いて図１に例示した封止体１００と同様の構成を備える。よって、ここでは高反射率
領域１０５ａと、低反射率領域１０５ｂの構成について詳細に説明し、その他の構成につ
いての説明は、図１についてした説明を援用するものとする。
【０１０５】
本実施の形態の変形例で例示する封止体１００は、高反射率領域１０５ａと低反射率領域
１０５ｂが、封止材１３１に沿って延在している。
【０１０６】
例えば、高反射率層に金属層を適用し、封止材１３１に重ねて渦巻き状に配置して、高反
射率領域１０５ａを形成できる。
【０１０７】
なお、渦巻き状に配置された金属層は、被封止体１１０のコイルとすることができる。例
えば、封止体の外周に沿って封止材に重ねて設けられたコイルと、当該コイルに接続する
集積回路と、を備える被封止体１１０を封止して、ＲＦＩＤ（Ｒａｄｉｏ  Ｆｒｅｑｕｅ
ｎｃｙ  Ｉｄｅｎｔｉｆｉｃａｔｉｏｎ）タグに応用可能な封止体１００を構成できる。
【０１０８】
本実施の形態の変形例で例示する封止体が備える構成がもたらす作用と効果を、第２の基
板側からエネルギー線を封止材に沿って走査しながら照射して作製される封止体を例に説
明する。
【０１０９】
エネルギー線の走査方向に直交する方向についてその積算強度に分布があると、封止材１
３１を均一に加熱できず、封止不良が発生してしまう場合がある。しかし、高反射率領域
１０５ａと低反射率領域１０５ｂを、エネルギー線の積算強度に応じて設けると、その分
布を補正でき、封止材１３１を均一に加熱できる。具体的には、エネルギー線の積算強度
が低い部分に高反射率領域１０５ａを、エネルギー線の積算強度が高い部分に低反射率領
域１０５ｂを設ければよい。これにより、エネルギー線の積算強度の分布を補正できる。
その結果、均一に封止された信頼性の高い封止体を提供できる。
【０１１０】
例えば、エネルギー線として、照射面に投影される形態が円形のレーザビームを第２の基
板側から、封止材１３１に沿って走査しながら照射する場合、走査方向に直交する方向に
ついてレーザビームの積算強度に分布が生じる場合がある（図２（Ｃ）参照）。その理由
は以下のように説明できる。
【０１１１】
円形のレーザビームスポットを走査方向に沿って短冊状に分割してみると、中心の短冊が
最も長く、その長さはおよそレーザビームスポットの直径の長さと等しい。また、レーザ
ビームスポットの端部に近づくほど、短冊の長さは短くなる。このようなレーザビームス
ポットを走査すると、レーザビームスポットの中心を含む短冊が通過する範囲に最も長い
時間レーザビームが照射されることとなる。そして、レーザビームスポットの端部に近い
短冊程、レーザビームの照射時間が短くなる。このような理由から、走査方向に直交する
方向について、レーザビームの積算強度に分布が生じてしまう場合がある。そして、この
ような分布が生じると、封止材１３１を均一に加熱できず、封止不良が発生してしまう場
合がある。
【０１１２】
なお、走査方向に直交する方向について、レーザビームの積算強度に分布が生じてしまう
現象は、レーザビームスポットが矩形または線状であっても生じうる。具体的には、その
端部の積算エネルギー強度が中央に比べて低い場合に生じうる。
【０１１３】
本実施の形態の変形例で例示する封止体は、照射されるエネルギー線の積算強度に応じて
、高反射率領域１０５ａと低反射率領域１０５ｂが設けられている（図２（Ｃ）参照）。
具体的には、照射されるエネルギー線の積算強度が小さい部分（例えば、レーザビームス
ポットの端部）に高反射率領域１０５ａが、照射されるエネルギー線の積算強度が大きい
部分（例えば、レーザビームスポットの中心部）に低反射率領域１０５ｂが設けられてい
る。このような構成とすることで、レーザビームの端部が通過する部分（言い換えると、
レーザビームの照射時間が短い部分）では、第２の基板１０２側から封止材１３１に入射
する光だけでなく、高反射率領域１０５ａに反射された光も封止材１３１に照射されるた
め、積算強度の分布を補正できる。その結果、外形の大きさが抑制され、且つ均一な封止
がされた信頼性の優れた封止体を提供できる。
【０１１４】
また、封止材１３１に沿って高反射率領域１０５ａと低反射率領域１０５ｂが設けられて
いるため、封止材１３１に向けて高反射率領域１０５ａが反射するエネルギー線の強度が
安定し、エネルギー線の照射強度等の条件を、走査部分の構成に応じて変える必要がない
。その結果、均一に封止された信頼性の高い封止体を提供できる。また、エネルギー線の
照射装置を簡略化できる。
【０１１５】
なお、本実施の形態は、本明細書で示す他の実施の形態と適宜組み合わせることができる
。
【０１１６】
（実施の形態２）
本実施の形態では、本発明の一態様の発光モジュールの構成を説明する。具体的には、第
１の基板と、エネルギー線を透過する第２の基板と、第１の基板と第２の基板の間に被封
止体と、被封止体を囲み、前記第１の基板と前記第２の基板を貼り合わせる封止材と、を
有する封止体に、被封止体として、第１の電極と第２の電極の間に発光性の有機化合物を
含む層を備える発光素子が封止された発光モジュールである。特に、第１の基板は、エネ
ルギー線の一部を反射する高反射率領域と、エネルギー線に対する反射率が高反射率領域
より低い低反射率領域と、を交互に封止材と重なる位置に備える。また、封止材は、エネ
ルギー線の一部を吸収する低融点ガラス層を含む。
【０１１７】
本実施の形態で例示する発光モジュールは、大気中の不純物の拡散により信頼性が損なわ
れ易く、高温を要する封止工程に耐える耐熱性を備えていない発光素子であっても高温に
曝すことなく封止できる。その結果、均一に封止された信頼性の高い発光モジュールを提
供できる。耐熱性の低い発光素子が損傷を受けることなく封止された発光モジュールを提
供できる。
【０１１８】
本実施の形態で例示する発光モジュールの構成について、図３を参照して説明する。
【０１１９】
図３（Ａ）は本発明の一態様の発光モジュールの上面図であり、図３（Ｂ）は図３（Ａ）
の切断線Ｍ１−Ｍ２−Ｍ３−Ｍ４における断面図である。また、図３（Ｃ）は図３（Ａ）
の切断線Ｍ５−Ｍ６における断面図であり、図３（Ｄ）は図３（Ｃ）の変形例である。
【０１２０】
図３に例示する発光モジュール２００は、第１の基板２０１と、エネルギー線を透過する
第２の基板２０２と、第１の基板２０１と第２の基板２０２の間に発光素子２１０と、発
光素子２１０を囲み、第１の基板２０１と第２の基板２０２を貼り合わせる封止材２３１
と、を有する。発光素子２１０は、第１の電極２１１と第２の電極２１２とその間に発光
性の有機化合物を含む層２１３を備える。特に、第１の基板２０１は、エネルギー線の一
部を反射する高反射率領域２０５ａと、エネルギー線に対する反射率が高反射率領域２０
５ａより低い低反射率領域２０５ｂと、を交互に封止材２３１と重なる位置に備える。ま
た、封止材２３１は、エネルギー線の一部を吸収する低融点ガラス層を含む。
【０１２１】
以下に、本実施の形態で例示する発光モジュールを構成する個々の要素について説明する
。
【０１２２】
＜第１の基板と第２の基板＞
第１の基板２０１および第２の基板２０２はそれぞれ発光モジュールの製造工程に耐えら
れる程度の耐熱性を備える。また、その厚さおよび大きさは製造装置に適用可能であれば
特に限定されない。また、単層構造であっても、２層以上の層が積層された構造であって
もよい。
【０１２３】
第１の基板２０１および第２の基板２０２はガスバリア性を有する。ガスバリア性の膜を
第１の基板２０１および第２の基板２０２と、発光素子２１０との間に設けてガスバリア
性を付与した基板であってもよい。ガスバリア性の程度は、不純物の拡散により信頼性が
損なわれる発光素子２１０の特性に応じて設計すれば良い。
【０１２４】
例えば、一対の電極の間に発光性の有機化合物を含む層２１３を備える発光素子２１０の
場合には、ガスバリア性が水蒸気透過率として１０−５ｇ／ｍ２・ｄａｙ以下、好ましく
は１０−６ｇ／ｍ２・ｄａｙ以下とする。この程度のガスバリア性を備える第１の基板２
０１および第２の基板２０２の間に、一対の電極の間に発光性の有機化合物を含む層２１
３を備える発光素子２１０を封止することにより、高い信頼性を有する発光モジュール２
００を提供できる。
【０１２５】
発光素子２１０が備える一対の電極の少なくとも一方は、発光性の有機化合物を含む層２
１３が発する光を透過し、第１の基板２０１または第２の基板２０２のいずれか一方は、
発光素子２１０が発する光を透過する領域を備える。なお、発光素子２１０が発する光を
透過する領域を、発光素子２１０と重なる位置に備えると、当該光を効率良く取り出せる
ため好ましい。
【０１２６】
また、第１の基板２０１および第２の基板２０２は、封止材２３１を破壊しない程度の可
撓性を有していてもよい。可撓性を有する基板としては、例えば厚さが５０μｍ以上５０
０μｍ以下の薄いガラスや、金属箔を用いることができる。
【０１２７】
第１の基板２０１は、無機材料を用いた基板の他、有機材料と無機材料の複合材料を用い
た基板であってもよい。無機材料を用いた基板としては、例えばガラス基板、セラミック
ス基板、金属基板等が挙げられる。有機材料と無機材料の複合材料を用いた基板としては
、例えば樹脂基板と無機材料の積層体、ＦＲＰ（Ｆｉｂｅｒｇｌａｓｓ−Ｒｅｉｎｆｏｒ
ｃｅｄ  Ｐｌａｓｔｉｃｓ）、プリプレグ等が挙げられる。
【０１２８】
第２の基板２０２は、第１の基板２０１と同様に無機材料を用いた基板の他、有機材料と
無機材料の複合材料を用いた基板であってもよい。なお、第２の基板２０２は、エネルギ
ー線を透過する領域を、封止材２３１と重なる位置に備える。なお、封止工程に用いるこ
とができるエネルギー線は、実施の形態１において説明したものを適用できるため、ここ
ではその詳細な説明を省略する。
【０１２９】
また、一のレーザビームが適用可能な第２の基板２０２は、そのレーザビームを透過する
。例えば可視光のレーザビームを用い、無機材料を第２の基板２０２に用いる場合、第２
の基板２０２としては、例えば無アルカリガラス基板、バリウムホウケイ酸ガラス基板、
アルミノホウケイ酸ガラス基板、石英基板、サファイア基板等を用いることができる。
【０１３０】
＜高反射率領域と低反射率領域＞
高反射率領域２０５ａは、低反射率領域２０５ｂより、第２の基板２０２側から入射する
エネルギー線に対する反射率が高い。高反射率領域２０５ａは高反射率層２０６ａで形成
され、低反射率領域２０５ｂは低反射率層２０６ｂで形成されている。また、高反射率領
域２０５ａの高反射率層２０６ａと第２の基板２０２の間には、低反射率層２０６ｂが設
けられていない。低反射率領域２０５ｂの低反射率層２０６ｂと第２の基板２０２の間に
は、高反射率層２０６ａが設けられていない。
【０１３１】
高反射率領域２０５ａと低反射率領域２０５ｂの構成を図３（Ｃ）に例示する。図３（Ｃ
）に例示する構成は、第１の基板２０１が低反射率層を兼ね、その上に高反射率層２０６
ａが島状に形成されている。高反射率層２０６ａが形成された部分が高反射率領域２０５
ａとなり、高反射率層２０６ａが形成されていない部分が低反射率領域２０５ｂとなる。
図３（Ｃ）の変形例を図３（Ｄ）に示す。図３（Ｄ）に例示する構成は、第１の基板２０
１上に高反射率層２０６ａが形成され、その上に低反射率層２０６ｂが島状に形成されて
いる。低反射率層２０６ｂが形成された部分が低反射率領域２０５ｂとなり、低反射率層
２０６ｂが形成されていない部分が高反射率領域２０５ａとなる。
【０１３２】
他の構成としては、図示しないが、第１の基板２０１上に島状又は縞状の高反射率層２０
６ａと島状又は縞状の低反射率層２０６ｂを交互に設けてもよい。また、島状又は縞状の
高反射率層２０６ａの上にエネルギー線を透過し、封止材２３１と融着し易い層を設けて
もよい。封止材２３１が融着し易い層としては、封止材２３１に用いる材料と親和性の高
い材料が好ましく、例えば封止材２３１が低融点ガラスである場合、酸化珪素を含む層が
好適である。
【０１３３】
高反射率層２０６ａまたは低反射率層２０６ｂ上に設けられた封止材２３１は、第１の基
板２０１と第２の基板２０２に融着している。なお、第１の基板２０１と封止材２３１の
融着強度を高めるために、アンカー層を設けてもよい。アンカー層は高反射率層２０６ａ
と封止材２３１の両方に接するように、その間に設けてもよいし、低反射率層２０６ｂと
封止材２３１の両方に接するように、その間に設けてもよい。または、高反射率領域２０
５ａと低反射率領域２０５ｂの間にアンカー層を島状または縞状に設けて、融着強度を高
めても良い。
【０１３４】
＜高反射率層と低反射率層＞
本実施の形態で例示する発光モジュール２００の高反射率層２０６ａまたは低反射率層２
０６ｂには、実施の形態１で説明した高反射率層または低反射率層と同様の材料を用いる
ことができる。
【０１３５】
＜被封止体＞
本実施の形態で例示する発光モジュール２００は、被封止体として発光素子２１０を有す
る。また、被封止体は第１の電極２１１と電気的に接続された第１の接続端子２０３と、
第２の電極２１２と電気的に接続された第２の接続端子２０４とを有する。
【０１３６】
発光素子２１０は、第１の電極２１１と第２の電極２１２の間に発光性の有機化合物を含
む層２１３を備える。発光素子２１０の第１の電極２１１と第２の電極２１２に電圧を印
加すると、発光性の有機化合物を含む層２１３が光を発する。第１の電極２１１と第２の
電極２１２の少なくとも一方は、発光性の有機化合物を含む層２１３が発する光を透過す
る。また、発光素子２１０は隔壁２１４を備える。隔壁２１４は絶縁性であり、発光素子
２１０の発光を複数（例えば図３においては２行６列）に区切ることができる。なお、発
光素子２１０の構成は実施の形態５において詳細に説明する。
【０１３７】
本実施の形態で例示する発光モジュール２００は、高反射率層２０６ａ、第１の電極２１
１、第１の接続端子２０３及び第２の接続端子２０４が同一の工程で形成される層を含む
。言い換えると、高反射率層２０６ａ、第１の電極２１１、第１の接続端子２０３及び第
２の接続端子２０４は、どれもエネルギー線と発光性の有機化合物を含む層２１３が発す
る光を反射する。
【０１３８】
第１の電極２１１は、導電材料を含み、単層構造であっても、２層以上の積層構造であっ
てもよい。また、その厚さは特に限定されない。
【０１３９】
導電材料は導電性を有し、作製工程に耐えられる材料であればよく、例えばモリブデン、
チタン、タンタル、タングステン、アルミニウム、銀、銅、クロム、ネオジム、スカンジ
ウム等から選ばれた一の金属、またはこれらから選ばれた一を含む合金を用いることがで
きる。
【０１４０】
アルミニウムを含む合金としては、アルミニウム−ニッケル−ランタン合金、アルミニウ
ム−チタン合金、アルミニウム−ネオジム合金等を挙げることができる。また、銀を含む
合金としては、銀−ネオジム合金、マグネシウム−銀合金等を挙げることができる。また
、金、銅を含む合金を用いることができる。
【０１４１】
導電材料は金属窒化物を用いることができる。具体的には、窒化チタン、窒化モリブデン
、窒化タングステン等をその例に挙げることができる。
【０１４２】
導電材料は導電性の金属酸化物を用いることができる。具体的には、酸化インジウム、酸
化スズ、インジウム−スズ酸化物（ＩＴＯともいう）、インジウム−亜鉛酸化物、酸化亜
鉛、ガリウムまたはアルミニウムが添加された酸化亜鉛、またはこれらの金属酸化物に酸
化シリコンを含ませたものを用いることができる。
【０１４３】
本実施の形態では、第１の電極２１１にアルミニウム−ニッケル−ランタン合金を含む層
にチタンを含む層を積層した積層構造を用いる。アルミニウム−ニッケル−ランタン合金
は反射率が高く、反射電極に好適である。また、チタンを含む層により第１の電極２１１
の表面に高抵抗の酸化皮膜が形成されてしまう現象を抑制できる。その結果、発光素子が
発する光の強度の損失と電気抵抗に起因する電力の損失を低減できる。
【０１４４】
また、本実施の形態で例示する発光モジュール２００の第２の電極２１２は、発光性の有
機化合物を含む層２１３が発する光を透過する。
【０１４５】
第２の電極２１２に用いることができる材料としては、導電性の金属酸化物を用いること
ができる。導電性の金属酸化物の具体例としては、酸化インジウム、酸化スズ、インジウ
ム−スズ酸化物（ＩＴＯともいう）、インジウム−亜鉛酸化物、酸化亜鉛、ガリウムまた
はアルミニウムが添加された酸化亜鉛、またはこれらの金属酸化物に酸化シリコンを含ま
せたものを用いることができる。
【０１４６】
また、発光性の有機化合物を含む層２１３が発する光を透過する程度に薄い金属層、好ま
しくは、５ｎｍ以上３０ｎｍ以下の厚さを有する金属層を用いることができる。
【０１４７】
第２の電極２１２に用いることができる金属としては、例えば貴金属、希土類金属、アル
カリ金属、アルカリ土類金属、具体的には、銀、金、イッテルビウム、エルビウム、カル
シウム、マグネシウム、アルミニウム等を挙げることができる。または、これらの金属の
一を含む合金、具体的には銀−ネオジム合金、マグネシウム−銀合金、アルミニウム−ニ
ッケル−ランタン合金、アルミニウム−チタン合金、アルミニウム−ネオジム合金等を挙
げることができる。
【０１４８】
＜変形例＞
本実施の形態の変形例で例示する発光モジュールは、上述の発光モジュール２００と同様
に第１の電極と第２の電極の間に発光性の有機化合物を含む層を備える発光素子を有する
。しかし、上述の発光モジュール２００とは異なり、第１の基板側の第１の電極が、発光
性の有機化合物を含む層が発する光を透過する導電層を含む。
【０１４９】
また、本実施の形態の変形例で例示する発光モジュールは、低反射率層と第１の電極、が
同一の工程で形成される層を含む。言い換えると、低反射率層と第１の電極は、エネルギ
ー線と発光性の有機化合物を含む層が発する光を透過する。この構成によれば、低反射率
層が導電性を備えるため、配線に用いることができる。その結果、高反射率層とは異なる
電位の配線を設けることができる。または、高反射率層を補助する配線として用いること
ができる。
【０１５０】
なお、本実施の形態は、本明細書で示す他の実施の形態と適宜組み合わせることができる
。
【０１５１】
（実施の形態３）
本実施の形態では、実施の形態１で例示した本発明の一態様の封止体の作製方法を説明す
る。具体的には、第１のステップと第２のステップを有するものである。
【０１５２】
第１のステップは、一方の面にエネルギー線の一部を反射する高反射率領域と、エネルギ
ー線に対する反射率が高反射率領域より低い低反射率領域と、が形成された第１の基板と
、エネルギー線を透過する第２の基板と、被封止体と、被封止体を囲むように、高反射率
領域と低反射率領域と重なる位置に、エネルギー線の一部を吸収する低融点ガラス層を含
み、第１の基板の一方の面または第２の基板の一方の面に設けられた封止材と、を準備す
るステップである。
【０１５３】
また、第２のステップは、第１の基板の一方の面と、第２の基板の一方の面の間に封止材
を挟持した状態で、第２の基板の他方の面からエネルギー線を、封止材に沿って走査しな
がら照射して、第１の基板と第２の基板の間に、被封止体を封止するステップである。
【０１５４】
本実施の形態で例示する封止体の作製方法によれば、第２の基板側から高反射率領域に向
けて照射したエネルギー線の封止材に吸収されなかった一部は、高反射率領域に反射され
、第１の基板側から封止材に到達する。その結果、エネルギー線を効率良く封止材の加熱
に利用できるだけでなく、封止材を厚さ方向に均一に加熱できる。
【０１５５】
また、第２の基板側から低反射率領域に向けて照射したエネルギー線の封止材に吸収され
なかった一部は低反射率領域に到達する。低反射率領域の反射率は、高反射率領域よりも
低いため、高反射率領域と重なる領域に比べて抑制された効率で、封止材の加熱にエネル
ギー線が用いられる。その結果、封止材が過剰に加熱されることがない。
【０１５６】
本発明の一態様の封止体の作製方法によれば、その第１の基板に高反射率領域と低反射率
領域が交互に封止材と重なる位置に設けられているため、高反射率領域の面積に対する低
反射率領域の面積の比率によって、エネルギー線が封止材を加熱する効率を調整できる。
その結果、均一に封止された信頼性の高い封止体の作製方法を提供できる。
【０１５７】
本実施の形態で例示する封止体の作製方法について、図４を参照して説明する。
【０１５８】
図４は本発明の一態様の封止体の作製方法を説明する断面図である。
【０１５９】
＜第１のステップ＞
本実施の形態で例示する第１のステップでは、第１の基板、第２の基板、被封止体および
封止材を準備する（図４（Ａ）参照）。
【０１６０】
第１の基板１０１は、一方の面にエネルギー線の一部を反射する高反射率領域と、エネル
ギー線に対する反射率が高反射率領域より低い低反射率領域とを設けて、準備する。なお
、本実施の形態で例示する封止体１００は、被封止体１１０の第２の接続端子１０４が高
反射率領域に設けられ、高反射率領域の一部を兼ねる。また、第１の基板１０１が低反射
率領域の一部を兼ねる。
【０１６１】
第１の接続端子１０３、第２の接続端子１０４および高反射率領域は、第１の基板１０１
よりエネルギー線に対する反射率が高い金属で形成すればよい。具体的には、チタン層と
アルミニウム層とチタン層を三層積層し、フォトリソグラフィ工程で形成する方法が挙げ
られる。
【０１６２】
本実施の形態では、第２の基板１０２として、エネルギー線を透過する基板を準備する。
なお、封止体に発光素子を封止して、発光モジュールを作製する場合、封止材と重ならな
いようにカラーフィルタなどをあらかじめ設けても良い。
【０１６３】
被封止体１１０は、第１の基板１０１上に形成して、第１の接続端子１０３および第２の
接続端子１０４と電気的に接続して準備する。または、被封止体１１０を別途作製した後
に、第１の接続端子１０３および第２の接続端子１０４に電気的に接続して準備してもよ
い。
【０１６４】
封止材１３１を、被封止体１１０を囲み、高反射率領域と低反射率領域と重なる位置に形
成して準備する。本実施の形態では、封止材１３１を、第２の基板１０２の一方の面に形
成して準備する場合を例に説明するが、第１の基板１０１の一方の面に形成して準備して
もよい。
【０１６５】
封止材１３１の形成方法としては、例えばスクリーン印刷法やディスペンサを用いて、低
融点ガラス粉末、有機樹脂および溶剤を含む分散体を第２の基板の一方の面に枠状に形成
する。次いで、有機樹脂および溶剤を除去するように加熱焼成して、封止材１３１を準備
する。
【０１６６】
＜第２のステップ＞
本実施の形態で例示する第２のステップでは、第１の基板１０１の一方の面と、第２の基
板１０２の一方の面の間に封止材１３１を挟持した状態で、第２の基板１０２の他方の面
からエネルギー線を、封止材１３１に沿って走査しながら照射する（図４（Ｂ）参照）。
【０１６７】
本実施の形態では、エネルギー線として半導体レーザが発するレーザビームを用いる場合
について説明する。第２の基板１０２と接する側から、封止材１３１に進入するレーザビ
ームの一部は、封止材１３１に吸収されて、封止材１３１の温度が上昇する。
【０１６８】
半導体レーザとしては、例えば波長９４０ｎｍのビーム径が１．６ｍｍのものを出力１２
．５Ｗで１０ｍｍ／ｓｅｃの速度で走査して用いることができる。または、出力１５Ｗで
１ｍｍ／ｓｅｃの速度で走査して用いることができる。
【０１６９】
封止材１３１に吸収されずに高反射率領域（例えば、図４（Ｂ）の高反射率領域の一部を
兼ねる第２の接続端子１０４）に達したレーザビームは反射され、第１の基板１０１側か
ら封止材１３１に進入する。このようにして、高反射率領域と重なる封止材１３１は効率
よく加熱される。
【０１７０】
一方、封止材１３１に吸収されずに低反射率領域（例えば、図４（Ｂ）の低反射率領域の
一部を兼ねる第１の基板１０１）に達したレーザビームは第１の基板１０１を透過して、
失われてしまう。このようにして、低反射率領域と重なる封止材１３１は、高反射率領域
と重なる領域に比べて抑制された効率で、加熱される。その結果、均一に封止された信頼
性の高い封止体の作製方法を提供できる（図４（Ｃ）参照）。
【０１７１】
＜変形例＞
本実施の形態の変形例で例示する封止体の作製方法は、上記第２のステップの第２の基板
側からエネルギー線を、封止材に沿って走査しながら照射する速度が、高反射率領域の面
積に対する低反射率領域の面積の比率が大きい部分に比べて、高反射率領域の面積に対す
る低反射率領域の面積の比率が小さい部分が速い封止体の作製方法である。
【０１７２】
この方法によれば、エネルギー線の照射装置が一定の速度で走査することが困難な形状（
例えば、複雑に屈曲した形状）を備える封止材であっても、高反射率領域の面積に対する
前記低反射率領域の面積の比率を走査速度に応じて大きく設けておくことで、過剰にエネ
ルギー線を照射して、温度が上がり過ぎる現象を防ぐことができる。また、速い速度で走
査可能な部分は高反射率領域の面積に対する前記低反射率領域の面積の比率を走査速度に
応じて小さく設けておくことで、加熱が不十分になる現象を防ぐことができる。その結果
、均一に封止された信頼性の高い封止体の作製方法を提供できる。または、封止工程にか
かる時間を短縮できる。
【０１７３】
なお、本実施の形態は、本明細書で示す他の実施の形態と適宜組み合わせることができる
。
【０１７４】
（実施の形態４）
本実施の形態では、本発明の一態様の発光モジュールの一態様である発光パネルの構成を
説明する。具体的には、本実施の形態で例示する発光パネルは、第１の基板と、エネルギ
ー線を透過する第２の基板と、第１の基板と第２の基板の間に被封止体と、被封止体を囲
み、前記第１の基板と前記第２の基板を貼り合わせる封止材と、を有する封止体に、被封
止体として、第１の電極と第２の電極の間に発光性の有機化合物を含む層を備える発光素
子が複数封止された発光モジュールである。特に、第１の基板は、エネルギー線の一部を
反射する高反射率領域と、エネルギー線に対する反射率が高反射率領域より低い低反射率
領域と、を交互に封止材と重なる位置に備える。また、封止材は、エネルギー線の一部を
吸収する低融点ガラス層を含む。
【０１７５】
本実施の形態で例示する発光パネルは、大気中の不純物の拡散により信頼性が損なわれ易
く、高温を要する封止工程に耐える耐熱性を備えていない発光素子であっても高温に曝す
ことなく封止できる。その結果、均一に封止された信頼性の高い発光パネルを提供できる
。耐熱性の低い発光素子が損傷を受けることなく封止された発光パネルを提供できる。
【０１７６】
本実施の形態で例示する発光パネルの構成について、図５を参照して説明する。なお、本
実施の形態では、発光素子をトランジスタに接続して用いるアクティブマトリクス型の発
光パネルを例示して説明するが、本発明の一態様はアクティブマトリクス型の発光パネル
に限定されるものではなく、パッシブマトリクス型の発光パネルにも、表示装置にも、照
明装置にも適用可能である。
【０１７７】
＜アクティブマトリクス型の発光パネル＞
本発明の一態様のアクティブマトリクス型の発光パネルの構成を図５に示す。なお、図５
（Ａ）は、発光パネルの上面図、図５（Ｂ）は図５（Ａ）をＡ−ＢおよびＣ−Ｄで切断し
た断面図である。
【０１７８】
アクティブマトリクス型の発光パネル１４００は、駆動回路部（ソース側駆動回路）１４
０１、画素部１４０２、駆動回路部（ゲート側駆動回路）１４０３、第２の基板１４０４
、封止材１４０５を備える（図５（Ａ）参照）。なお、封止材１４０５で囲まれた内側は
、空間になっている。
【０１７９】
発光パネル１４００は外部入力端子となるＦＰＣ（フレキシブルプリントサーキット）１
４０９を介して、ビデオ信号、クロック信号、スタート信号、リセット信号等を受け取る
。なお、ここではＦＰＣしか図示されていないが、ＦＰＣにはプリント配線基板（ＰＷＢ
）が取り付けられていても良い。本明細書における発光パネルには、発光パネル本体だけ
でなく、それにＦＰＣまたはＰＷＢが取り付けられた状態をも含むものとする。
【０１８０】
次に、発光パネル１４００の構成について図５（Ｂ）に示す断面図を用いて説明する。発
光パネル１４００は、第１の基板１４１０上に図示されたソース側駆動回路１４０１を含
む駆動回路部および、図示された画素を含む画素部１４０２を備える。また、ソース側駆
動回路１４０１およびゲート側駆動回路１４０３に入力される信号を伝送するための引き
回し配線１４０８を備える。
【０１８１】
なお、本実施の形態ではソース側駆動回路１４０１がｎチャネル型トランジスタ１４２３
とｐチャネル型トランジスタ１４２４とを組み合わせたＣＭＯＳ回路を含む構成について
例示するが、駆動回路はこの構成に限定されず、種々のＣＭＯＳ回路、ＰＭＯＳ回路また
はＮＭＯＳ回路で構成しても良い。また、本実施の形態では、基板上に駆動回路を形成し
たドライバ一体型を示すが、必ずしもその必要はなく、駆動回路を基板上ではなく外部に
形成することもできる。
【０１８２】
＜トランジスタの構成＞
なお、トランジスタのチャネルが形成される領域には、さまざまな半導体を用いることが
できる。具体的には、アモルファスシリコン、ポリシリコン、単結晶シリコンの他、酸化
物半導体などを用いることができる。
【０１８３】
単結晶半導体をチャネル形成領域に用いると、トランジスタサイズを微細化することが可
能となるため、表示部において画素をさらに高精細化することができる。
【０１８４】
半導体層を構成する単結晶半導体としては、代表的には、単結晶シリコン基板、単結晶ゲ
ルマニウム基板、単結晶シリコンゲルマニウム基板など、第１４族元素でなる単結晶半導
体基板、化合物半導体基板（ＳｉＣ基板、サファイア基板、ＧａＮ基板等）などの半導体
基板を用いることができる。好適には、絶縁表面上に単結晶半導体層が設けられたＳＯＩ
（Ｓｉｌｉｃｏｎ  Ｏｎ  Ｉｎｓｕｌａｔｏｒ）基板を用いることができる。
【０１８５】
ＳＯＩ基板の作製方法としては、鏡面研磨ウェハーに酸素イオンを注入した後、高温加熱
することにより、表面から一定の深さに酸化層を形成させるとともに、表面層に生じた欠
陥を消滅させて作る方法、水素イオン照射により形成された微小ボイドの熱処理による成
長を利用して半導体基板を劈開する方法や、絶縁表面上に結晶成長により単結晶半導体層
を形成する方法等を用いることができる。
【０１８６】
本実施の形態では、単結晶半導体基板の一つの面からイオンを添加して、単結晶半導体基
板の一つの面から一定の深さに脆弱化層を形成し、単結晶半導体基板の一つの面上、また
は第１の基板１４１０上のどちらか一方に絶縁層を形成する。単結晶半導体基板と第１の
基板１４１０を、絶縁層を挟んで重ね合わせた状態で、脆弱化層に亀裂を生じさせ、単結
晶半導体基板を脆弱化層で分離する熱処理を行い、単結晶半導体基板より半導体層として
単結晶半導体層を第１の基板１４１０上に形成する。なお、第１の基板１４１０としては
、ガラス基板を用いることができる。
【０１８７】
また、半導体基板に絶縁分離領域を形成し、絶縁分離された半導体領域を用いてトランジ
スタ１４１１、トランジスタ１４１２を形成してもよい。
【０１８８】
単結晶半導体をチャネル形成領域として用いることで、結晶粒界における結合の欠陥に起
因する、トランジスタのしきい値電圧等の電気的特性のばらつきを軽減できるため、本発
明の一態様の発光パネルは、各画素にしきい値電圧補償用の回路を配置しなくても正常に
発光素子を動作させることができる。したがって、一画素における回路要素を削減するこ
とが可能となるため、レイアウトの自由度が向上する。よって、発光パネルの高精細化を
図ることができる。例えば、マトリクス状に配置された複数の画素を一インチあたり３５
０以上含む（水平解像度が３５０ｐｐｉ（ｐｉｘｅｌｓ  ｐｅｒ  ｉｎｃｈ）以上である
）、さらに好ましくは４００以上含む（水平解像度が４００ｐｐｉ以上である）構成とす
ることが可能となる。
【０１８９】
さらに、単結晶半導体をチャネル形成領域として用いたトランジスタは、高い電流駆動能
力を維持したまま、微細化が可能である。該微細なトランジスタを用いることで表示に寄
与しない回路部の面積を縮小することができるため、表示部においては表示面積が拡大し
、かつ発光パネルの狭額縁化が達成できる。
【０１９０】
＜画素部の構成＞
また、画素部１４０２は複数の画素を備える。画素は発光素子１４１８と、発光素子１４
１８の第１の電極１４１３にドレイン電極が接続された電流制御用トランジスタ１４１２
と、スイッチング用トランジスタ１４１１と、を有する。
【０１９１】
発光パネルに設けられた発光素子１４１８は、第１の電極１４１３と、第２の電極１４１
７と、発光性の有機化合物を含む層１４１６と、を有する。なお、隔壁１４１４が第１の
電極１４１３の端部を覆って形成されている。
【０１９２】
発光素子１４１８の構成としては、例えば実施の形態５で例示する発光素子の構成を適用
できる。
【０１９３】
具体的には、発光性の有機化合物を含む層１４１６に白色を呈する光を発する構成を適用
できる。
【０１９４】
また、発光素子１４１８の第１の電極１４１３と第２の電極１４１７を用いて、微小共振
器（マイクロキャビティともいう）を構成できる。例えば、第１の電極１４１３に発光性
の有機化合物を含む層１４１６が発する光を反射する導電膜を用い、第２の電極１４１７
に、当該光の一部を反射し、一部を透過する半透過・半反射膜性の導電膜を用いて構成で
きる。
【０１９５】
また、光学調整層を第１の電極と第２の電極の間に設けることができる。光学調整層は反
射性の第１の電極１４１３と半透過・半反射性の第２の電極１４１７の間の光学距離を調
整する層であり、光学調整層の厚さを調整することにより、第２の電極１４１７から優先
的に取り出す光の波長を調整できる。
【０１９６】
光学調整層に用いることができる材料としては、発光性の有機化合物を含む層を適用でき
る。例えば、電荷発生領域を用いて、その厚さを調整してもよい。特に正孔輸送性の高い
物質とアクセプター性物質を含む領域を光学調整層に用いると、光学調整層が厚い構成で
あっても駆動電圧の上昇を抑制できるため好ましい。
【０１９７】
光学調整層に用いることができる他の材料としては、発光性の有機化合物を含む層１４１
６が発する光を透過する透光性の導電膜を適用できる。例えば、反射性の導電膜の表面に
該透光性を有する導電膜を積層して、第１の電極１４１３を構成できる。この構成によれ
ば、隣接する第１の電極の光学調整層の厚さを変えることが容易であるため好ましい。
【０１９８】
隔壁１４１４の上端部または下端部には、曲率を有する曲面が形成されるようにする。隔
壁１４１４は、ネガ型の感光性樹脂、或いはポジ型の感光性樹脂のいずれも使用すること
ができる。例えば、隔壁１４１４の材料としてポジ型の感光性アクリルを用いた場合、隔
壁１４１４の上端部のみに曲率半径（０．２μｍ〜３μｍ）を有する曲面を持たせること
が好ましい。ここでは、ポジ型の感光性ポリイミド膜を用いることにより形成する。
【０１９９】
なお、隔壁を遮光性とすると、発光パネルに設けられた反射性の膜による外光の反射を抑
制できる。発光素子１４１８の外側に延在する反射膜が、外光を反射すると発光パネルの
コントラストが低下してしまうため、鮮やかな発光を得られない。隔壁を遮光性とする場
合は、黒色に着色した樹脂層を用いて形成できる。
【０２００】
また、カラーフィルタ１４３４を発光素子１４１８と重なる位置に設けることができる。
また、遮光性の膜１４３５（ブラックマトリクスともいう）を隣接する発光素子の間の隔
壁に重ねて設けることができる。なお、カラーフィルタ１４３４および遮光性の膜１４３
５は、いずれも第２の基板１４０４に設けることができる。
【０２０１】
＜封止構造＞
本実施の形態で例示する発光パネル１４００は、第１の基板１４１０、第２の基板１４０
４、および封止材１４０５で囲まれた空間に、発光素子１４１８を封止する構造を備える
。
【０２０２】
封止材１４０５および第２の基板１４０４は、大気中の不純物（代表的には水および／ま
たは酸素）をできるだけ透過しない材料であることが望ましい。封止材１４０５は低融点
ガラスを含む。
【０２０３】
第２の基板１４０４に用いることができる材料としては、ガラス基板や石英基板の他、Ｐ
ＶＦ（ポリビニルフロライド）、ＦＲＰ（Ｆｉｂｅｒｇｌａｓｓ−Ｒｅｉｎｆｏｒｃｅｄ
Ｐｌａｓｔｉｃｓ）等をその例に挙げることができる。
【０２０４】
図５（Ｂ）に例示する発光パネルは、発光素子１４１８を囲う封止材１４０５が、第１の
基板と第２の基板を貼り合わせる構成を備える。封止材１４０５は、発光素子１４１８の
信頼性を損なう不純物が発光パネルの内部へ侵入する現象を阻む。その結果、信頼性の高
い発光パネルを提供できる。
【０２０５】
なお、封止材１４０５は、第１の基板１４１０と第２の基板１４０４の間隔を保つスペー
サを含まない。スペーサ１４４５が、第１の基板１４１０と第２の基板１４０４の間隔を
一定に保つ。封止材１４０５にフィラーや球状のスペーサを分散して用いると、第１の基
板１４１０と第２の基板１４０４を貼り合わせる際に、フィラーや球状のスペーサに応力
が集中して、その下の第１の基板に形成されたトランジスタや配線を破壊してしまう場合
がある。本実施の形態で例示する発光パネルは、スペーサ１４４５が、隔壁上で第１の基
板１４１０と第２の基板１４０４の間隔を一定に保つため、配線やトランジスタを破壊し
難い。特に、隔壁が緩衝材となり、応力を分散する効果を奏する。
【０２０６】
なお、本実施の形態は、本明細書で示す他の実施の形態と適宜組み合わせることができる
。
【０２０７】
（実施の形態５）
本実施の形態では、本発明の一態様の発光モジュールに用いることができる発光素子の構
成について説明する。具体的には、一対の電極に発光性の有機化合物を含む層が挟持され
た発光素子の一例について、図６を参照して説明する。
【０２０８】
本実施の形態で例示する発光素子は、第１の電極、第２の電極及び第１の電極と第２の電
極の間に発光性の有機化合物を含む層（以下ＥＬ層という）を備える。第１の電極または
第２の電極のいずれか一方は陽極、他方は陰極として機能する。ＥＬ層は第１の電極と第
２の電極の間に設けられ、該ＥＬ層の構成は第１の電極と第２の電極の材質に合わせて適
宜選択すればよい。以下に発光素子の構成の一例を例示するが、発光素子の構成がこれに
限定されないことはいうまでもない。
【０２０９】
＜発光素子の構成例１．＞
発光素子の構成の一例を図６（Ａ）に示す。図６（Ａ）に示す発光素子は、陽極１１０１
と陰極１１０２の間にＥＬ層が挟まれている。
【０２１０】
陽極１１０１と陰極１１０２の間に、発光素子の閾値電圧より高い電圧を印加すると、Ｅ
Ｌ層に陽極１１０１の側から正孔が注入され、陰極１１０２の側から電子が注入される。
注入された電子と正孔はＥＬ層において再結合し、ＥＬ層に含まれる発光物質が発光する
。
【０２１１】
本明細書においては、両端から注入された電子と正孔が再結合する領域を１つ有する層ま
たは積層体を発光ユニットという。よって、当該発光素子の構成例１は発光ユニットを１
つ備えるということができる。
【０２１２】
発光ユニット１１０３は、少なくとも発光物質を含む発光層を１つ以上備えていればよく
、発光層以外の層と積層された構造であっても良い。発光層以外の層としては、例えば正
孔注入性の高い物質、正孔輸送性の高い物質、正孔輸送性に乏しい（ブロッキングする）
物質、電子輸送性の高い物質、電子注入性の高い物質、並びにバイポーラ性（電子及び正
孔の輸送性の高い）の物質等を含む層が挙げられる。
【０２１３】
発光ユニット１１０３の具体的な構成の一例を図６（Ｂ）に示す。図６（Ｂ）に示す発光
ユニット１１０３は、正孔注入層１１１３、正孔輸送層１１１４、発光層１１１５、電子
輸送層１１１６、並びに電子注入層１１１７が陽極１１０１側からこの順に積層されてい
る。
【０２１４】
＜発光素子の構成例２．＞
発光素子の構成の他の一例を図６（Ｃ）に示す。図６（Ｃ）に例示する発光素子は、陽極
１１０１と陰極１１０２の間に発光ユニット１１０３を含むＥＬ層が挟まれている。さら
に、陰極１１０２と発光ユニット１１０３との間には中間層１１０４が設けられている。
なお、当該発光素子の構成例２の発光ユニット１１０３には、上述の発光素子の構成例１
が備える発光ユニットと同様の構成が適用可能であり、詳細については、発光素子の構成
例１の記載を参酌できる。
【０２１５】
中間層１１０４は少なくとも電荷発生領域を含んで形成されていればよく、電荷発生領域
以外の層と積層された構成であってもよい。例えば、第１の電荷発生領域１１０４ｃ、電
子リレー層１１０４ｂ、及び電子注入バッファー１１０４ａが陰極１１０２側から順次積
層された構造を適用することができる。
【０２１６】
中間層１１０４における電子と正孔の挙動について説明する。陽極１１０１と陰極１１０
２の間に、発光素子の閾値電圧より高い電圧を印加すると、第１の電荷発生領域１１０４
ｃにおいて、正孔と電子が発生し、正孔は陰極１１０２へ移動し、電子は電子リレー層１
１０４ｂへ移動する。電子リレー層１１０４ｂは電子輸送性が高く、第１の電荷発生領域
１１０４ｃで生じた電子を電子注入バッファー１１０４ａに速やかに受け渡す。電子注入
バッファー１１０４ａは発光ユニット１１０３に電子を注入する障壁を緩和し、発光ユニ
ット１１０３への電子注入効率を高める。従って、第１の電荷発生領域１１０４ｃで発生
した電子は、電子リレー層１１０４ｂと電子注入バッファー１１０４ａを経て、発光ユニ
ット１１０３のＬＵＭＯ準位に注入される。
【０２１７】
また、電子リレー層１１０４ｂは、第１の電荷発生領域１１０４ｃを構成する物質と電子
注入バッファー１１０４ａを構成する物質が界面で反応し、互いの機能が損なわれてしま
う等の相互作用を防ぐことができる。
【０２１８】
当該発光素子の構成例２の陰極に用いることができる材料の選択の幅は、構成例１の陰極
に用いることができる材料の選択の幅に比べて、広い。なぜなら、構成例２の陰極は中間
層が発生する正孔を受け取ればよく、仕事関数が比較的大きな材料を適用できるからであ
る。
【０２１９】
＜発光素子の構成例３．＞
発光素子の構成の他の一例を図６（Ｄ）に示す。図６（Ｄ）に例示する発光素子は、陽極
１１０１と陰極１１０２の間に２つの発光ユニットが設けられたＥＬ層を備えている。さ
らに、第１の発光ユニット１１０３ａと、第２の発光ユニット１１０３ｂとの間には中間
層１１０４が設けられている。
【０２２０】
なお、陽極と陰極の間に設ける発光ユニットの数は２つに限定されない。図６（Ｅ）に例
示する発光素子は、発光ユニット１１０３が複数積層された構造、所謂、タンデム型の発
光素子の構成を備える。但し、例えば陽極と陰極の間にｎ（ｎは２以上の自然数）層の発
光ユニット１１０３を設ける場合には、ｍ（ｍは自然数、１以上（ｎ−１）以下）番目の
発光ユニットと、（ｍ＋１）番目の発光ユニットとの間に、それぞれ中間層１１０４を設
ける構成とする。
【０２２１】
また、当該発光素子の構成例３の発光ユニット１１０３には、上述の発光素子の構成例１
と同様の構成を適用することが可能であり、また当該発光素子の構成例３の中間層１１０
４には、上述の発光素子の構成例２と同様の構成が適用可能である。よって、詳細につい
ては、発光素子の構成例１、または発光素子の構成例２の記載を参酌できる。
【０２２２】
発光ユニットの間に設けられた中間層１１０４における電子と正孔の挙動について説明す
る。陽極１１０１と陰極１１０２の間に、発光素子の閾値電圧より高い電圧を印加すると
、中間層１１０４において正孔と電子が発生し、正孔は陰極１１０２側に設けられた発光
ユニットへ移動し、電子は陽極側に設けられた発光ユニットへ移動する。陰極側に設けら
れた発光ユニットに注入された正孔は、陰極側から注入された電子と再結合し、当該発光
ユニットに含まれる発光物質が発光する。また、陽極側に設けられた発光ユニットに注入
された電子は、陽極側から注入された正孔と再結合し、当該発光ユニットに含まれる発光
物質が発光する。よって、中間層１１０４において発生した正孔と電子は、それぞれ異な
る発光ユニットにおいて発光に至る。
【０２２３】
なお、発光ユニット同士を接して設けることで、両者の間に中間層と同じ構成が形成され
る場合は、発光ユニット同士を接して設けることができる。具体的には、発光ユニットの
一方の面に電荷発生領域が形成されていると、当該電荷発生領域は中間層の第１の電荷発
生領域として機能するため、発光ユニット同士を接して設けることができる。
【０２２４】
発光素子の構成例１乃至構成例３は、互いに組み合わせて用いることができる。例えば、
発光素子の構成例３の陰極と発光ユニットの間に中間層を設けることもできる。
【０２２５】
＜発光素子に用いることができる材料＞
次に、上述した構成を備える発光素子に用いることができる具体的な材料について、陽極
、陰極、並びにＥＬ層の順に説明する。
【０２２６】
＜陽極に用いることができる材料＞
陽極１１０１は導電性を有する金属、合金、電気伝導性化合物等およびこれらの混合物の
単層または積層体で構成される。特に、仕事関数の大きい（具体的には４．０ｅＶ以上）
材料をＥＬ層に接する構成が好ましい。
【０２２７】
金属、または合金材料としては、例えば、金（Ａｕ）、白金（Ｐｔ）、ニッケル（Ｎｉ）
、タングステン（Ｗ）、クロム（Ｃｒ）、モリブデン（Ｍｏ）、鉄（Ｆｅ）、コバルト（
Ｃｏ）、銅（Ｃｕ）、パラジウム（Ｐｄ）、チタン（Ｔｉ）等の金属材料またはこれらを
含む合金材料が挙げられる。
【０２２８】
電気伝導性化合物としては、例えば、金属材料の酸化物、金属材料の窒化物、導電性高分
子が挙げられる。
【０２２９】
金属材料の酸化物の具体例として、インジウム−錫酸化物（ＩＴＯ：Ｉｎｄｉｕｍ  Ｔｉ
ｎ  Ｏｘｉｄｅ）、珪素若しくは酸化珪素を含有したインジウム−錫酸化物、チタンを含
有したインジウム−錫酸化物、インジウム−チタン酸化物、インジウム−タングステン酸
化物、インジウム−亜鉛酸化物、タングステンを含有したインジウム−亜鉛酸化物等が挙
げられる。また、モリブデン酸化物、バナジウム酸化物、ルテニウム酸化物、タングステ
ン酸化物、マンガン酸化物、チタン酸化物等が挙げられる。
【０２３０】
金属材料の酸化物を含む膜は、通常スパッタリング法により成膜されるが、ゾル−ゲル法
などを応用して作製しても構わない。例えば、インジウム−亜鉛酸化物膜は、酸化インジ
ウムに対し１ｗｔ％以上２０ｗｔ％以下の酸化亜鉛を加えたターゲットを用いてスパッタ
リング法により形成することができる。また、酸化タングステン及び酸化亜鉛を含有した
酸化インジウム膜は、酸化インジウムに対し酸化タングステンを０．５ｗｔ％以上５ｗｔ
％以下、酸化亜鉛を０．１ｗｔ％以上１ｗｔ％以下含有したターゲットを用いてスパッタ
リング法により形成することができる。
【０２３１】
金属材料の窒化物の具体例として、窒化チタン、窒化タンタル等が挙げられる。
【０２３２】
導電性高分子の具体例として、ポリ（３，４−エチレンジオキシチオフェン）／ポリ（ス
チレンスルホン酸）（ＰＥＤＯＴ／ＰＳＳ）、ポリアニリン／ポリ（スチレンスルホン酸
）（ＰＡｎｉ／ＰＳＳ）等が挙げられる。
【０２３３】
なお、陽極１１０１と接して第２の電荷発生領域を設ける場合には、仕事関数の大きさを
考慮せずに様々な導電性材料を陽極１１０１に用いることができる。具体的には、仕事関
数の大きい材料だけでなく、仕事関数の小さい材料を用いることもできる。第２の電荷発
生領域を構成する材料については、第１の電荷発生領域と共に後述する。
【０２３４】
＜陰極に用いることができる材料＞
陰極１１０２に接して第１の電荷発生領域１１０４ｃを、発光ユニット１１０３との間に
設ける場合、陰極１１０２は仕事関数の大小に関わらず様々な導電性材料を用いることが
できる。
【０２３５】
なお、陰極１１０２および陽極１１０１のうち少なくとも一方を、可視光を透過する導電
膜を用いて形成する。例えば、陰極１１０２または陽極１１０１の一方を、可視光を透過
する導電膜を用いて形成し、他方を、可視光を反射する導電膜を用いて形成すると、一方
の面に光を射出する発光素子を構成できる。また、陰極１１０２および陽極１１０１の両
方を、可視光を透過する導電膜を用いて形成すると、両方の面に光を射出する発光素子を
構成できる。
【０２３６】
可視光を透過する導電膜としては、例えば、インジウム−錫酸化物、珪素若しくは酸化珪
素を含有したインジウム−錫酸化物、チタンを含有したインジウム−錫酸化物、インジウ
ム−チタン酸化物、インジウム−タングステン酸化物、インジウム−亜鉛酸化物、タング
ステンを含有したインジウム−亜鉛酸化物等が挙げられる。また、光を透過する程度（好
ましくは、５ｎｍ以上３０ｎｍ以下程度）の金属薄膜を用いることもできる。
【０２３７】
可視光を反射する導電膜としては、例えば金属を用いれば良く、具体的には、銀、アルミ
ニウム、白金、金、銅等の金属材料またはこれらを含む合金材料が挙げられる。銀を含む
合金としては、銀−ネオジム合金、マグネシウム−銀合金等を挙げることができる。アル
ミニウムの合金としては、アルミニウム−ニッケル−ランタン合金、アルミニウム−チタ
ン合金、アルミニウム−ネオジム合金等が挙げられる。
【０２３８】
＜ＥＬ層に用いることができる材料＞
上述した発光ユニット１１０３を構成する各層に用いることができる材料について、以下
に具体例を示す。
【０２３９】
正孔注入層は、正孔注入性の高い物質を含む層である。正孔注入性の高い物質としては、
例えば、モリブデン酸化物やバナジウム酸化物、ルテニウム酸化物、タングステン酸化物
、マンガン酸化物等を用いることができる。この他、フタロシアニン（略称：Ｈ２Ｐｃ）
や銅フタロシアニン（略称：ＣｕＰｃ）等のフタロシアニン系の化合物、或いはポリ（３
，４−エチレンジオキシチオフェン）／ポリ（スチレンスルホン酸）（ＰＥＤＯＴ／ＰＳ
Ｓ）等の高分子等によっても正孔注入層を形成することができる。
【０２４０】
なお、第２の電荷発生領域を用いて正孔注入層を形成してもよい。正孔注入層に第２の電
荷発生領域を用いると、仕事関数を考慮せずに様々な導電性材料を陽極１１０１に用いる
ことができるのは前述の通りである。第２の電荷発生領域を構成する材料については第１
の電荷発生領域と共に後述する。
【０２４１】
＜正孔輸送層＞
正孔輸送層は、正孔輸送性の高い物質を含む層である。正孔輸送層は、単層に限られず正
孔輸送性の高い物質を含む層を二層以上積層したものでもよい。電子よりも正孔の輸送性
の高い物質であればよく、特に１０−６ｃｍ２／Ｖｓ以上の正孔移動度を有する物質が、
発光素子の駆動電圧を低減できるため好ましい。
【０２４２】
正孔輸送性の高い物質としては、芳香族アミン化合物（例えば、４，４’−ビス［Ｎ−（
１−ナフチル）−Ｎ−フェニルアミノ］ビフェニル（略称：ＮＰＢまたはα−ＮＰＤ））
やカルバゾール誘導体（例えば、９−［４−（１０−フェニル−９−アントラセニル）フ
ェニル］−９Ｈ−カルバゾール（略称：ＣｚＰＡ））などが挙げられる。また、高分子化
合物（例えば、ポリ（Ｎ−ビニルカルバゾール）（略称：ＰＶＫ））等を用いることがで
きる。
【０２４３】
＜発光層＞
発光層は、発光物質を含む層である。発光層は、単層に限られず発光物質を含む層を二層
以上積層したものでもよい。発光物質は蛍光性化合物や、燐光性化合物を用いることがで
きる。発光物質に燐光性化合物を用いると、発光素子の発光効率を高められるため好まし
い。
【０２４４】
発光物質として蛍光性化合物（例えば、クマリン５４５Ｔ）や燐光性化合物（例えば、ト
リス（２−フェニルピリジナト）イリジウム（ＩＩＩ）（略称：Ｉｒ（ｐｐｙ）３））等
を用いることができる。
【０２４５】
発光物質は、ホスト材料に分散させて用いるのが好ましい。ホスト材料としては、その励
起エネルギーが、発光物質の励起エネルギーよりも大きなものが好ましい。
【０２４６】
ホスト材料として用いることができる材料としては、上述の正孔輸送性の高い物質（例え
ば、芳香族アミン化合物、カルバゾール誘導体、高分子化合物等）、後述の電子輸送性の
高い物質（例えば、キノリン骨格またはベンゾキノリン骨格を有する金属錯体、オキサゾ
ール系やチアゾール系配位子を有する金属錯体等）などを用いることができる。
【０２４７】
＜電子輸送層＞
電子輸送層は、電子輸送性の高い物質を含む層である。電子輸送層は、単層に限られず電
子輸送性の高い物質を含む層を二層以上積層したものでもよい。正孔よりも電子の輸送性
の高い物質であればよく、特に１０−６ｃｍ２／Ｖｓ以上の電子移動度を有する物質が、
発光素子の駆動電圧を低減できるため好ましい。
【０２４８】
電子輸送性の高い物質としては、キノリン骨格またはベンゾキノリン骨格を有する金属錯
体（例えば、トリス（８−キノリノラト）アルミニウム（略称：Ａｌｑ））、オキサゾー
ル系やチアゾール系配位子を有する金属錯体（例えば、ビス［２−（２−ヒドロキシフェ
ニル）ベンズオキサゾラト］亜鉛（略称：Ｚｎ（ＢＯＸ）２））、その他の化合物（例え
ば、バソフェナントロリン（略称：ＢＰｈｅｎ））などが挙げられる。また、高分子化合
物（例えば、ポリ［（９，９−ジヘキシルフルオレン−２，７−ジイル）−ｃｏ−（ピリ
ジン−３，５−ジイル）］（略称：ＰＦ−Ｐｙ））等を用いることができる。
【０２４９】
＜電子注入層＞
電子注入層は、電子注入性の高い物質を含む層である。電子注入層は、単層に限られず電
子注入性の高い物質を含む層を二層以上積層したものでもよい。電子注入層を設ける構成
とすることで陰極１１０２からの電子の注入効率が高まり、発光素子の駆動電圧を低減で
きるため好ましい。
【０２５０】
電子注入性の高い物質としては、アルカリ金属（例えば、リチウム（Ｌｉ）、セシウム（
Ｃｓ））、アルカリ土類金属（例えば、カルシウム（Ｃａ））、またはこれらの化合物（
例えば、酸化物（具体的には酸化リチウム等）、炭酸塩（具体的には炭酸リチウムや炭酸
セシウム等）、ハロゲン化物（具体的にはフッ化リチウム（ＬｉＦ）、フッ化セシウム（
ＣｓＦ）、フッ化カルシウム（ＣａＦ２）））などが挙げられる。
【０２５１】
また、電子注入性の高い物質を含む層を電子輸送性の高い物質とドナー性物質を含む層（
具体的には、Ａｌｑ中にマグネシウム（Ｍｇ）を含有させたものなど）で形成してもよい
。なお、電子輸送性の高い物質に対するドナー性物質の添加量の質量比は０．００１以上
０．１以下の比率が好ましい。
【０２５２】
ドナー性の物質としては、アルカリ金属、アルカリ土類金属、希土類金属、またはこれら
の化合物の他、テトラチアナフタセン（略称：ＴＴＮ）、ニッケロセン、デカメチルニッ
ケロセン等の有機化合物を用いることもできる。
【０２５３】
＜電荷発生領域に用いることができる材料＞
第１の電荷発生領域１１０４ｃ、及び第２の電荷発生領域は、正孔輸送性の高い物質とア
クセプター性物質を含む領域である。なお、電荷発生領域は、同一膜中に正孔輸送性の高
い物質とアクセプター性物質を含有する場合だけでなく、正孔輸送性の高い物質を含む層
とアクセプター性物質を含む層とが積層されていても良い。但し、第１の電荷発生領域を
陰極側に設ける積層構造の場合には、正孔輸送性の高い物質を含む層が陰極１１０２と接
する構造となり、第２の電荷発生領域を陽極側に設ける積層構造の場合には、アクセプタ
ー性物質を含む層が陽極１１０１と接する構造となる。
【０２５４】
なお、電荷発生領域において、正孔輸送性の高い物質に対して質量比で、０．１以上４．
０以下の比率でアクセプター性物質を添加することが好ましい。
【０２５５】
電荷発生領域に用いるアクセプター性物質としては、遷移金属酸化物や元素周期表におけ
る第４族乃至第８族に属する金属の酸化物を挙げることができる。具体的には、酸化モリ
ブデンが特に好ましい。なお、酸化モリブデンは、吸湿性が低いという特徴を有している
。
【０２５６】
また、電荷発生領域に用いる正孔輸送性の高い物質としては、芳香族アミン化合物、カル
バゾール誘導体、芳香族炭化水素、高分子化合物（オリゴマー、デンドリマー、ポリマー
等）など、種々の有機化合物を用いることができる。具体的には、１０−６ｃｍ２／Ｖｓ
以上の正孔移動度を有する物質であることが好ましい。但し、電子よりも正孔の輸送性の
高い物質であれば、これら以外のものを用いてもよい。
【０２５７】
＜電子リレー層に用いることができる材料＞
電子リレー層１１０４ｂは、第１の電荷発生領域１１０４ｃにおいてアクセプター性物質
がひき抜いた電子を速やかに受け取ることができる層である。従って、電子リレー層１１
０４ｂは、電子輸送性の高い物質を含む層であり、またそのＬＵＭＯ準位は、第１の電荷
発生領域１１０４ｃにおけるアクセプター性物質のアクセプター準位と、当該電子リレー
層が接する発光ユニット１１０３のＬＵＭＯ準位との間に位置する。具体的には、およそ
−５．０ｅＶ以上−３．０ｅＶ以下とするのが好ましい。
【０２５８】
電子リレー層１１０４ｂに用いる物質としては、ペリレン誘導体（例えば、３，４，９，
１０−ペリレンテトラカルボン酸二無水物（略称：ＰＴＣＤＡ））や、含窒素縮合芳香族
化合物（例えば、ピラジノ［２，３−ｆ］［１，１０］フェナントロリン−２，３−ジカ
ルボニトリル（略称：ＰＰＤＮ））などが挙げられる。
【０２５９】
なお、含窒素縮合芳香族化合物は、安定な化合物であるため電子リレー層１１０４ｂに用
いる物質として好ましい。さらに、含窒素縮合芳香族化合物のうち、シアノ基やフルオロ
基などの電子吸引基を有する化合物を用いることにより、電子リレー層１１０４ｂにおけ
る電子の受け取りがさらに容易になるため、好ましい。
【０２６０】
＜電子注入バッファーに用いることができる材料＞
電子注入バッファーは、電子注入性の高い物質を含む層である。電子注入バッファー１１
０４ａは、第１の電荷発生領域１１０４ｃから発光ユニット１１０３への電子の注入を容
易にする層である。電子注入バッファー１１０４ａを第１の電荷発生領域１１０４ｃと発
光ユニット１１０３の間に設けることにより、両者の注入障壁を緩和することができる。
【０２６１】
電子注入性が高い物質としては、アルカリ金属、アルカリ土類金属、希土類金属、または
これらの化合物などが挙げられる。
【０２６２】
また、電子注入性の高い物質を含む層を電子輸送性の高い物質とドナー性物質を含む層で
形成してもよい。
【０２６３】
＜発光素子の作製方法＞
発光素子の作製方法の一態様について説明する。第１の電極上にこれらの層を適宜組み合
わせてＥＬ層を形成する。ＥＬ層は、それに用いる材料に応じて種々の方法（例えば、乾
式法や湿式法等）を用いることができ、例えば、真空蒸着法、転写法、印刷法、インクジ
ェット法またはスピンコート法などを選んで用いればよい。また、各層で異なる方法を用
いて形成してもよい。ＥＬ層上に第２の電極を形成し、発光素子を作製する。
【０２６４】
以上のような材料を組み合わせることにより、本実施の形態に示す発光素子を作製するこ
とができる。この発光素子からは、上述した発光物質からの発光が得られ、その発光色は
発光物質の種類を変えることにより選択できる。
【０２６５】
また、発光色の異なる複数の発光物質を用いることにより、発光スペクトルの幅を拡げて
、例えば白色発光を得ることもできる。白色発光を得る場合には、例えば、発光物質を含
む層を少なくとも２つ備える構成とし、それぞれの層を互いに補色の関係にある色を呈す
る光を発するように構成すればよい。具体的な補色の関係としては、例えば青色と黄色、
あるいは青緑色と赤色等が挙げられる。
【０２６６】
さらに、演色性の良い白色発光を得る場合には、発光スペクトルが可視光全域に拡がるも
のが好ましく、例えば、一つの発光素子が、青色を呈する光を発する層、緑色を呈する光
を発する層、赤色を呈する光を発する層を備える構成とすればよい。
【０２６７】
なお、本実施の形態は、本明細書で示す他の実施の形態と適宜組み合わせることができる
。
【０２６８】
（実施の形態６）
本実施の形態では、本発明の一態様の電子機器について説明する。具体的には、本発明の
発光パネルを搭載した電子機器について図７を用いて説明する。
【０２６９】
発光装置を適用した電子機器として、例えば、テレビジョン装置（テレビ、またはテレビ
ジョン受信機ともいう）、コンピュータ用などのモニタ、デジタルカメラ、デジタルビデ
オカメラ、デジタルフォトフレーム、携帯電話機（携帯電話、携帯電話装置ともいう）、
携帯型ゲーム機、携帯情報端末、音響再生装置、パチンコ機などの大型ゲーム機などが挙
げられる。これらの電子機器の具体例を図７に示す。
【０２７０】
図７（Ａ）は、テレビジョン装置の一例を示している。テレビジョン装置７１００は、筐
体７１０１に表示部７１０３が組み込まれている。表示部７１０３により、映像を表示す
ることが可能であり、発光装置を表示部７１０３に用いることができる。また、ここでは
、スタンド７１０５により筐体７１０１を支持した構成を示している。
【０２７１】
テレビジョン装置７１００の操作は、筐体７１０１が備える操作スイッチや、別体のリモ
コン操作機７１１０により行うことができる。リモコン操作機７１１０が備える操作キー
７１０９により、チャンネルや音量の操作を行うことができ、表示部７１０３に表示され
る映像を操作することができる。また、リモコン操作機７１１０に、当該リモコン操作機
７１１０から出力する情報を表示する表示部７１０７を設ける構成としてもよい。
【０２７２】
なお、テレビジョン装置７１００は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０２７３】
図７（Ｂ）はコンピュータであり、本体７２０１、筐体７２０２、表示部７２０３、キー
ボード７２０４、外部接続ポート７２０５、ポインティングデバイス７２０６等を含む。
なお、コンピュータは、発光装置をその表示部７２０３に用いることにより作製される。
【０２７４】
図７（Ｃ）は携帯型遊技機であり、筐体７３０１と筐体７３０２の２つの筐体で構成され
ており、連結部７３０３により、開閉可能に連結されている。筐体７３０１には表示部７
３０４が組み込まれ、筐体７３０２には表示部７３０５が組み込まれている。また、図７
（Ｃ）に示す携帯型遊技機は、その他、スピーカ部７３０６、記録媒体挿入部７３０７、
ＬＥＤランプ７３０８、入力手段（操作キー７３０９、接続端子７３１０、センサ７３１
１（力、変位、位置、速度、加速度、角速度、回転数、距離、光、液、磁気、温度、化学
物質、音声、時間、硬度、電場、電流、電圧、電力、放射線、流量、湿度、傾度、振動、
においまたは赤外線を測定する機能を含むもの）、マイクロフォン７３１２）等を備えて
いる。もちろん、携帯型遊技機の構成は上述のものに限定されず、少なくとも表示部７３
０４および表示部７３０５の両方、または一方に発光装置を用いていればよく、その他付
属設備が適宜設けられた構成とすることができる。図７（Ｃ）に示す携帯型遊技機は、記
録媒体に記録されているプログラムまたはデータを読み出して表示部に表示する機能や、
他の携帯型遊技機と無線通信を行って情報を共有する機能を有する。なお、図７（Ｃ）に
示す携帯型遊技機が有する機能はこれに限定されず、様々な機能を有することができる。
【０２７５】
図７（Ｄ）は、携帯電話機の一例を示している。携帯電話機７４００は、筐体７４０１に
組み込まれた表示部７４０２の他、操作ボタン７４０３、外部接続ポート７４０４、スピ
ーカ７４０５、マイク７４０６などを備えている。なお、携帯電話機７４００は、発光装
置を表示部７４０２に用いることにより作製される。
【０２７６】
図７（Ｄ）に示す携帯電話機７４００は、表示部７４０２を指などで触れることで、情報
を入力することができる。また、電話を掛ける、或いはメールを作成するなどの操作は、
表示部７４０２を指などで触れることにより行うことができる。
【０２７７】
表示部７４０２の画面は主として３つのモードがある。第１は、画像の表示を主とする表
示モードであり、第２は、文字等の情報の入力を主とする入力モードである。第３は表示
モードと入力モードの２つのモードが混合した表示＋入力モードである。
【０２７８】
例えば、電話を掛ける、或いはメールを作成する場合は、表示部７４０２を文字の入力を
主とする文字入力モードとし、画面に表示させた文字の入力操作を行えばよい。この場合
、表示部７４０２の画面のほとんどにキーボードまたは番号ボタンを表示させることが好
ましい。
【０２７９】
また、携帯電話機７４００内部に、ジャイロ、加速度センサ等の傾きを検出するセンサを
有する検出装置を設けることで、携帯電話機７４００の向き（縦か横か）を判断して、表
示部７４０２の画面表示を自動的に切り替えるようにすることができる。
【０２８０】
また、画面モードの切り替えは、表示部７４０２を触れること、または筐体７４０１の操
作ボタン７４０３の操作により行われる。また、表示部７４０２に表示される画像の種類
によって切り替えるようにすることもできる。例えば、表示部に表示する画像信号が動画
のデータであれば表示モード、テキストデータであれば入力モードに切り替える。
【０２８１】
また、入力モードにおいて、表示部７４０２の光センサで検出される信号を検知し、表示
部７４０２のタッチ操作による入力が一定期間ない場合には、画面のモードを入力モード
から表示モードに切り替えるように制御してもよい。
【０２８２】
表示部７４０２は、イメージセンサとして機能させることもできる。例えば、表示部７４
０２に掌や指で触れ、掌紋、指紋等を撮像することで、本人認証を行うことができる。ま
た、表示部に近赤外光を発光するバックライトまたは近赤外光を発光するセンシング用光
源を用いれば、指静脈、掌静脈などを撮像することもできる。
【０２８３】
図７（Ｅ）は、折りたたみ式のコンピュータの一例を示している。折りたたみ式のコンピ
ュータ７４５０は、ヒンジ７４５４で接続された筐体７４５１Ｌと筐体７４５１Ｒを備え
ている。また、操作ボタン７４５３、左側スピーカ７４５５Ｌおよび右側スピーカ７４５
５Ｒの他、コンピュータ７４５０の側面には図示されていない外部接続ポート７４５６を
備える。なお、筐体７４５１Ｌに設けられた表示部７４５２Ｌと、筐体７４５１Ｒに設け
られた表示部７４５２Ｒが互いに対峙するようにヒンジ７４５４を折り畳むと、表示部を
筐体で保護することができる。
【０２８４】
表示部７４５２Ｌと表示部７４５２Ｒは、画像を表示する他、指などで触れると情報を入
力できる。例えば、インストール済みのプログラムを示すアイコンを指でふれて選択し、
プログラムを起動できる。または、表示された画像の二箇所に触れた指の間隔を変えて、
画像を拡大または縮小できる。または、表示された画像の一箇所に触れた指を移動して画
像を移動できる。また、キーボードの画像を表示して、表示された文字や記号を指で触れ
て選択し、情報を入力することもできる。
【０２８５】
また、コンピュータ７４５０に、ジャイロ、加速度センサ、ＧＰＳ（Ｇｌｏｂａｌ  Ｐｏ
ｓｉｔｉｏｎｉｎｇ  Ｓｙｓｔｅｍ）受信機、指紋センサ、ビデオカメラを搭載すること
もできる。例えば、ジャイロ、加速度センサ等の傾きを検出するセンサを有する検出装置
を設けることで、コンピュータ７４５０の向き（縦か横か）を判断して、表示する画面の
向きを自動的に切り替えるようにすることができる。
【０２８６】
また、コンピュータ７４５０はネットワークに接続できる。コンピュータ７４５０はイン
ターネット上の情報を表示できる他、ネットワークに接続された他の電子機器を遠隔から
操作する端末として用いることができる。
【０２８７】
図７（Ｆ）は、照明装置の一例を示している。照明装置７５００は、筐体７５０１に光源
として本発明の一態様の発光装置７５０３ａ、発光装置７５０３ｂ、発光装置７５０３ｃ
、発光装置７５０３ｄが組み込まれている。照明装置７５００は、天井や壁等に取り付け
ることが可能である。
【０２８８】
なお、本実施の形態は、本明細書で示す他の実施の形態と適宜組み合わせることができる
。
【符号の説明】
【０２８９】
１００    封止体
１０１    第１の基板
１０２    第２の基板
１０３    第１の接続端子
１０４    第２の接続端子
１０５ａ    高反射率領域
１０５ｂ    低反射率領域
１１０    被封止体
１３１    封止材
２００    発光モジュール
２０１    第１の基板
２０２    第２の基板
２０３    第１の接続端子
２０４    第２の接続端子
２０５ａ    高反射率領域
２０５ｂ    低反射率領域
２０６ａ    高反射率層
２０６ｂ    低反射率層
２１０    発光素子
２１１    第１の電極
２１２    第２の電極
２１３    発光性の有機化合物を含む層
２１４    隔壁
２３１    封止材
１１０１    陽極
１１０２    陰極
１１０３    発光ユニット
１１０３ａ    発光ユニット
１１０３ｂ    発光ユニット
１１０４    中間層
１１０４ａ    電子注入バッファー
１１０４ｂ    電子リレー層
１１０４ｃ    電荷発生領域
１１１３    正孔注入層
１１１４    正孔輸送層
１１１５    発光層
１１１６    電子輸送層
１１１７    電子注入層
１４００    発光パネル
１４０１    ソース側駆動回路
１４０２    画素部
１４０３    ゲート側駆動回路
１４０４    第２の基板
１４０５    封止材
１４０８    配線
１４１０    第１の基板
１４１１    トランジスタ
１４１２    トランジスタ
１４１３    第１の電極
１４１４    隔壁
１４１６    発光性の有機化合物を含む層
１４１７    第２の電極
１４１８    発光素子
１４２３    ｎチャネル型トランジスタ
１４２４    ｐチャネル型トランジスタ
１４３４    カラーフィルタ
１４３５    膜
１４４５    スペーサ
７１００    テレビジョン装置
７１０１    筐体
７１０３    表示部
７１０５    スタンド
７１０７    表示部
７１０９    操作キー
７１１０    リモコン操作機
７２０１    本体
７２０２    筐体
７２０３    表示部
７２０４    キーボード
７２０５    外部接続ポート
７２０６    ポインティングデバイス
７３０１    筐体
７３０２    筐体
７３０３    連結部
７３０４    表示部
７３０５    表示部
７３０６    スピーカ部
７３０７    記録媒体挿入部
７３０８    ＬＥＤランプ
７３０９    操作キー
７３１０    接続端子
７３１１    センサ
７３１２    マイクロフォン
７４００    携帯電話機
７４０１    筐体
７４０２    表示部
７４０３    操作ボタン
７４０４    外部接続ポート
７４０５    スピーカ
７４０６    マイク
７４５０    コンピュータ
７４５１Ｌ    筐体
７４５１Ｒ    筐体
７４５２Ｌ    表示部
７４５２Ｒ    表示部
７４５３    操作ボタン
７４５４    ヒンジ
７４５５Ｌ    左側スピーカ
７４５５Ｒ    右側スピーカ
７４５６    外部接続ポート
７５００    照明装置
７５０１    筐体
７５０３ａ    発光装置
７５０３ｂ    発光装置
７５０３ｃ    発光装置
７５０３ｄ    発光装置
【図１】
2020042299.tif 000003
【図２】
2020042299.tif 000004
【図３】
2020042299.tif 000005
【図４】
2020042299.tif 000006
【図５】
2020042299.tif 000007
【図６】
2020042299.tif 000008
【図７】
2020042299.tif 000009
【図８】
2020042299.tif 000010